【事件の表示】
　特許第３４２８９７９号「有償情報の流通方法」の請求項１ないし７に係る特許に対する特許異議の申立てについて，次のとおり決定する。
【結　論】
　訂正を認める。
　特許第３４２８９７９号の請求項１ないし７に係る特許を維持する。
【理　由】
第１　手続の経緯
　特許第３４２８９７９号の請求項１〜７に係る発明についての出願（特願２００１−５３５８６８号）は，２０００年１０月２５日（優先権主張１９９９年１０月２９日，日本国，２０００年１月１４日，日本国）を国際出願日とする出願であって，平成１５年５月１６日にその特許の設定登録がなされ，その後，特許異議申立人中林猛季より特許異議の申立てがなされ，取消理由通知がなされ，その指定期間内である平成１７年７月２９日に訂正請求（後日取り下げ）がなされた後，再度取消理由通知がなされ，その指定期間内である平成１７年９月２６日に訂正請求がなされたものである。
　
第２　訂正の適否についての判断
１　訂正の内容
　特許権者が求めている訂正の内容は，特許時の特許請求の範囲である
「【請求項１】　有償情報の購入を選択して購入要求する際に，プロバイダー会員情報によりユーザーの認証を求める認証依頼を送信するユーザー端末と，受信された認証依頼に基づきユーザー認証し，購入要求された有償情報の課金種別に応じて課金し，有償情報流通者のサーバー装置のＵＲＬ情報を該ユーザー端末に送信する機能を有する複数のプロバイダーのサーバー装置と，該有償情報を保持する有償情報記憶部を有する前記有償情報流通者のサーバー装置とを備えた有償情報流通システムにおける有償情報流通者のサーバー装置において，
　前記購入要求を受信した前記複数のプロバイダーのサーバー装置から送信されたアクセスキー発行依頼データにより，それぞれ異なるアクセスキーを含むＵＲＬ情報を生成するアクセスキー生成部と，
　該アクセスキーの発行情報を登録するアクセス管理情報記憶部と，
　生成された該ＵＲＬ情報を前記プロバイダーのサーバー装置に送信する送信部と，
　前記ユーザー端末から送信された該ＵＲＬ情報を受信すると，該ＵＲＬ情報からアクセスキーを抽出し，抽出した該アクセスキーと前記アクセス管理情報記憶部に登録されたアクセスキーの発行情報を対比して，該アクセスキーの正当性を判別するアクセスキー判別部と，
　前記アクセスキー判別部によって，該アクセスキーが正当と判別された場合には，該ＵＲＬ情報で特定された有償情報をユーザー端末に送信する有償情報送信部と
　を有することを特徴とする有償情報流通者のサーバー装置。
【請求項２】　前記有償情報に対するユーザーのアクセス状況を表わすアクセス情報を予め設定された第１の条件に従って抽出する手段と，
　抽出された前記アクセス情報を基に，予め設定された第２の条件に従って有償情報提供者への有償情報実績報告情報を作成する手段と，
　前記有償情報実績報告情報を出力する手段と
　をさらに有することを特徴とする請求項１に記載の有償情報流通者のサーバー装置。
【請求項３】　前記アクセスキー判別部は，正当なアクセスキーを最初に受けたときに，前記ＵＲＬ情報の送信側の送信アドレスを記憶し，同一のアクセスキーを再度受けた際に，記憶した前記送信アドレスが同一か否かによる正当性判断をさらに行う
　ことを特徴とする請求項１または請求項２のいずれかに記載の有償情報流通者のサーバー装置。
【請求項４】　有償情報の購入を選択して購入要求する際に，プロバイダー会員情報によりユーザーの認証を求める認証依頼を送信するユーザー端末と，プロバイダー会員情報を保持する会員情報記憶部を有する複数のプロバイダーのサーバー装置と，受信されたアクセスキー発行依頼データにより，それぞれ異なるアクセスキーを含むＵＲＬ情報を生成するとともに，正当なＵＲＬ情報を送信したユーザー端末に該有償情報を送信する機能を有する有償情報流通者のサーバー装置とを備えた有償情報流通システムにおけるプロバイダーのサーバー装置において，
　ユーザーの認証依頼を受信すると，認証するか否かを判別する認証判別部と，
　認証されたユーザーからの有償情報の要求に基づいて，該有償情報にアクセスするためのアクセスキーの発行を要求するアクセスキー発行依頼部と，
　アクセスキーを含むＵＲＬ情報を前記有償情報流通者のサーバー装置から受信すると，前記会員情報記憶部に当該ユーザーの課金情報を有償情報の課金種別に応じて記録する課金情報記録部と，
　該ＵＲＬ情報をユーザー端末に送信する送信部と
　を有することを特徴とするプロバイダーのサーバー装置。
【請求項５】　有償情報の購入を選択して購入要求する際に，プロバイダー会員情報によりユーザーの認証を求める認証依頼を送信するユーザー端末と，
　ユーザーの認証依頼を受信すると，認証するか否かを判別する認証判別部と，認証されたユーザーからの有償情報の要求に基づいて，該有償情報にアクセスするためのアクセスキーの発行を要求するアクセスキー発行依頼部と，アクセスキーを含むＵＲＬ情報を受信すると，プロバイダー会員情報を保持する会員情報記憶部に当該ユーザーの課金情報を有償情報の課金種別に応じて記録する課金情報記録部と，前記ＵＲＬ情報をユーザー端末に送信する送信部とを有するプロバイダーのサーバー装置と，
　前記購入要求を受信した前記複数のプロバイダーのサーバー装置から送信されたアクセスキー発行依頼データにより，それぞれ異なるアクセスキーを含むＵＲＬ情報を生成するアクセスキー生成部と，該アクセスキーの発行情報を登録するアクセス管理情報記憶部と，生成された該ＵＲＬ情報を前記プロバイダーのサーバー装置に送信する送信部と，前記ユーザーの端末から送信された該ＵＲＬ情報を受信すると，該ＵＲＬ情報からアクセスキーを抽出し，抽出した該アクセスキーとアクセス管理情報記憶部に登録されたアクセスキーの発行情報とを対比して，該アクセスキーの正当性を判別するアクセスキー判別部と，前記アクセスキー判別部によって該アクセスキーが正当と判別された場合には，該ＵＲＬ情報で特定された有償情報をユーザー端末に送信する有償情報送信部とを有する有償情報流通者のサーバー装置と
　を備えることは特徴とする有償情報流通システム。
【請求項６】　有償情報の購入を選択して，購入要求をする際に，プロバイダー会員情報によりユーザーの認証を求める認証依頼を送信するユーザー端末と，プロバイダー会員情報を保持する会員情報記憶部を有する複数のプロバイダーのサーバー装置と，該有償情報を保持する記憶部を有する有償情報流通者のサーバー装置とを備えた有償情報流通システムを利用して，前記ユーザー端末が有償情報を取得する方法であって，
　ユーザーの認証依頼を受信すると，認証するか否かを判別するステップと，
　認証されたユーザーから選択された有償情報の購入要求を受信するステップと，
　アクセスキー発行依頼データを前記有償情報流通者のサーバー装置に送信するステップと，
　受信された前記アクセスキー発行依頼データから，それぞれ異なるアクセスキーを含むＵＲＬ情報を生成し，該ＵＲＬ情報を前記プロバイダーのサーバー装置に送信するステップと，
　該ＵＲＬ情報を受信すると，購入要求された有償情報の課金種別に応じて課金し，前記ユーザー端末に該ＵＲＬ情報を送信するステップと，
　該ＵＲＬ情報を受信したユーザー端末から該ＵＲＬ情報を前記有償情報流通者のサーバー装置に送信するステップと，
　受信された該ＵＲＬ情報からアクセスキーを抽出し，抽出した該アクセスキーをもとに該アクセスキーの正当性を判別し，該ＵＲＬ情報で特定された有償情報を該ＵＲＬ情報を送信したユーザー端末に送信するステップと
　を有することを特徴とする有償情報取得方法。
【請求項７】　有償情報の購入を選択して購入要求をする際に，プロバイダー会員情報によりユーザーの認証を求める認証依頼を送信するユーザー端末と，
　プロバイダー会員情報を保持する会員情報記憶部を有する複数のプロバイダーのサーバー装置と，該有償情報を保持する記憶部と，アクセスキーの発行情報を登録するアクセス管理情報記憶部とを有する有償情報流通者のサーバー装置とを備えた有償情報流通システムを利用して，前記有償情報流通者のサーバー装置から該有償情報をユーザー端末に送信する方法であって，
　前記購入要求を受信したプロバイダーのサーバー装置からアクセスキー発行依頼データを受信するステップと，
　受信された前記アクセスキー発行依頼データから，それぞれ異なるアクセスキーを含むＵＲＬ情報を生成し，該アクセスキーの発行情報を前記アクセス管理情報記憶部に登録し，該ＵＲＬ情報を前記プロバイダーのサーバー装置に送信するステップと，
　該ＵＲＬ情報を受信したユーザー端末から，該ＵＲＬ情報を受信するステップと，
　受信された該ＵＲＬ情報からアクセスキーを抽出し，抽出した該アクセスキーと前記アクセス管理情報記憶部に登録されたアクセスキーの発行情報を対比して，該アクセスキーの正当性を判別し，正当な場合，該ＵＲＬ情報で特定された有償情報をユーザー端末に送信するステップと
　を有することを特徴とする有償情報送信方法。」
を，
「【請求項１】　有償情報の購入を選択して購入要求する際に，プロバイダー会員情報によりユーザーの認証を求める認証依頼を送信するユーザー端末と，
　
ユーザー端末から受信した
認証されたユーザーからの有償情報の要求に基づいて，該有償情報にアクセスするためのアクセスキーの発行を有償情報流通者のサーバー装置に要求し，アクセスキーを含むＵＲＬ情報を前記有償情報流通者のサーバー装置から受信すると，
当該ユーザーに課金するとともに，該受信したアクセスキーを含む前記
前記購入要求のなされた
　該有償情報を保持する有償情報記憶部を有する前記有償情報流通者のサーバー装置と
　を備えた有償情報流通システムにおける有償情報流通者のサーバー装置において，
　前記購入要求を受信した前記複数のプロバイダーのサーバー装置から送信されたアクセスキー発行依頼データ
に含まれるプロバイダーを識別するためのプロバイダーＩＤ，有償情報の購入要求をするユーザーに対し該プロバイダーの付与したユーザーＩＤ，要求された有償情報を識別するためのコンテンツＩＤに基づいて，有償情報へのアクセスの正当性を判断するためのそれぞれ異なるアクセスキーを生成して該
　該アクセスキーの発行情報を登録するアクセス管理情報記憶部と，
　生成された該ＵＲＬ情報を前記
アクセスキー発行依頼データの送信を行った
　前記ユーザー端末から送信された該ＵＲＬ情報を受信すると，該ＵＲＬ情報からアクセスキーを抽出し，抽出した該アクセスキーと前記アクセス管理情報記憶部に登録されたアクセスキーの発行情報を対比して，該アクセスキーの正当性を判別するアクセスキー判別部と，
　前記アクセスキー判別部によって，該アクセスキーが正当と判別された場合には，該ＵＲＬ情報で特定された有償情報をユーザー端末に送信する有償情報送信部とを有することを特徴とする有償情報流通者のサーバー装置。
【請求項２】　前記有償情報に対するユーザーのアクセス状況を表わすアクセス情報を予め設定された第１の条件に従って抽出する手段と，
　抽出された前記アクセス情報を基に，予め設定された第２の条件に従って有償情報提供者への有償情報実績報告情報を作成する手段と，
　前記有償情報実績報告情報を出力する手段と
　をさらに有することを特徴とする請求項１に記載の有償情報流通者のサーバー装置。
【請求項３】　前記アクセスキー判別部は，正当なアクセスキーを最初に受けたときに，前記ＵＲＬ情報の送信側の送信アドレスを記憶し，同一のアクセスキーを再度受けた際に，記憶した前記送信アドレスが同一か否かによる正当性判断をさらに行う
　ことを特徴とする請求項１または請求項２のいずれかに記載の有償情報流通者のサーバー装置。
【請求項４】　有償情報の購入を選択して購入要求する際に，プロバイダー会員情報によりユーザーの認証を求める認証依頼を送信するユーザー端末と，
　プロバイダー会員情報を保持する会員情報記憶部を有する複数のプロバイダーのサーバー装置と，
　
プロバイダーのサーバー装置から受信した
含まれる情報に基づいて，有償情報へのアクセスの正当性を判断するためのそれぞれ異なるアクセスキーを生成して該
，
　
ユーザー端末から
　認証されたユーザーからの有償情報の要求に基づいて，該有償情報にアクセスするためのアクセスキーの発行を要求する
データであって，プロバイダーを識別するためのプロバイダーＩＤ，有償情報の購入要求をするユーザーに対し該プロバイダーが付与したユーザーＩＤ，要求された有償情報を識別するためのコンテンツＩＤを含むアクセスキー発行依頼データを発行する
　アクセスキーを含むＵＲＬ情報を前記有償情報流通者のサーバー装置から受信すると，前記会員情報記憶部に当該ユーザーの課金情報を有償情報の課金種別に応じて記録する課金情報記録部と，
　該ＵＲＬ情報をユーザー端末に送信する送信部と
　を有することを特徴とするプロバイダーのサーバー装置。
【請求項５】　有償情報の購入を選択して購入要求する際に，プロバイダー会員情報によりユーザーの認証を求める認証依頼を送信するユーザー端末と，
　
ユーザー端末から
データであって，プロバイダーを識別するためのプロバイダーＩＤ，有償情報の購入要求をするユーザーに対し該プロバイダーが付与したユーザーＩＤ，要求された有償情報を識別するためのコンテンツＩＤを含むアクセスキー発行依頼データを発行する
複数の
　前記購入要求を受信した前記複数のプロバイダーのサーバー装置から送信されたアクセスキー発行依頼データ
に含まれる情報に基づいて，有償情報へのアクセスの正当性を判断するためのそれぞれ異なるアクセスキーを生成して該
アクセスキー発行依頼データの送信を行った
　を備えること
を
【請求項６】　有償情報の購入を選択して，購入要求をする際に，プロバイダー会員情報によりユーザーの認証を求める認証依頼を送信するユーザー端末と，プロバイダー会員情報を保持する会員情報記憶部を有する複数のプロバイダーのサーバー装置と，該有償情報を保持する記憶部を有する有償情報流通者のサーバー装置とを備えた有償情報流通システムを利用して，前記ユーザー端末が有償情報を取得する方法であって，
　
プロバイダーのサーバー装置が，ユーザー端末より
　
前記プロバイダーのサーバー装置が，
　
前記プロバイダーのサーバー装置が，前記有償情報の購入要求に基づいて，該有償情報にアクセスするためのアクセスキーの発行を要求するデータであって，プロバイダーを識別するためのプロバイダーＩＤ，有償情報の購入要求をするユーザーに対し該プロバイダーが付与したユーザーＩＤ，要求された有償情報を識別するためのコンテンツＩＤを含む
　
前記有償情報流通者のサーバー装置が，
に含まれる情報に基づいて，有償情報へのアクセスの正当性を判断するためのそれぞれ異なるアクセスキーを生成して該
アクセスキー発行依頼データの送信を行った
　
前記プロバイダーのサーバー装置が，
購入要求を行った前記ユーザーに
　該ＵＲＬ情報を受信したユーザー端末
が，
　
前記有償情報流通者のサーバー装置が，該ＵＲＬ情報を受信したユーザー端末から該ＵＲＬ情報を受信するステップと，
前記有償情報流通者のサーバー装置が，
　を有することを特徴とする有償情報取得方法。
【請求項７】　有償情報の購入を選択して購入要求をする際に，プロバイダー会員情報によりユーザーの認証を求める認証依頼を送信するユーザー端末と，
　プロバイダー会員情報を保持する会員情報記憶部を有
し，ユーザーの端末から受信した認証依頼に基づきユーザー認証し，認証されたユーザーからの有償情報の要求に基づいて，該有償情報にアクセスするためのアクセスキーの発行を有償情報流通者のサーバー装置に要求し，アクセスキーを含むＵＲＬ情報を前記有償情報流通者のサーバー装置から受信すると，購入要求された有償情報の課金種別に応じて当該ユーザーに課金するとともに，該受信したアクセスキーを含むＵＲＬ情報を前記購入要求のなされたユーザー端末に送信する機能を有する
　該有償情報を保持する記憶部と，アクセスキーの発行情報を登録するアクセス管理情報記憶部とを有する有償情報流通者のサーバー装置と
　を備えた有償情報流通システムを利用して，前記有償情報流通者のサーバー装置から該有償情報をユーザー端末に送信する方法であって，
　
前記有償情報流通者のサーバー装置が，
，プロバイダーを識別するためのプロバイダーＩＤ，有償情報の購入要求をするユーザーに対し該プロバイダーが付与したユーザーＩＤ，要求された有償情報を識別するためのコンテンツＩＤを含む
　受信された前記アクセスキー発行依頼データ
に含まれる情報に基づいて，有償情報へのアクセスの正当性を判断するためのそれぞれ異なるアクセスキーを生成して該
　該ＵＲＬ情報を受信したユーザー端末から，該ＵＲＬ情報を受信するステップと，
　受信された該ＵＲＬ情報からアクセスキーを抽出し，抽出した該アクセスキーと前記アクセス管理情報記憶部に登録されたアクセスキーの発行情報を対比して，該アクセスキーの正当性を判別し，正当な場合，該ＵＲＬ情報で特定された有償情報をユーザー端末に送信するステップと
　を
実行
と訂正するものである。（訂正箇所に下線を付した。）
　
２　訂正の目的の適否，新規事項の有無及び拡張・変更の存否
　上記訂正は，特許時の請求項１〜７について特許請求の範囲を減縮するとともに，明りょうでない記載の釈明をするものである。
　また，上記訂正は，新規事項の追加に該当せず，実質上特許請求の範囲を拡張し，又は変更するものではない。
　
３　むすび
　以上のとおりであるから，上記訂正は，平成１５年法律第４７号附則第２条第７項により，なお従前の例によるとされる特許法第１２０条の４第２項及び同条第３項で準用する同法第１２６条第２項及び第３項の規定に適合するので，当該訂正を認める。
　
第３　特許異議申立てについての判断
１　申立ての理由の概要
　特許異議申立人は，請求項１〜７に係る発明は，甲第１〜５号証の刊行物に記載された発明に基づいて当業者が容易に発明をすることができたものであり，また，請求項１〜７は，その記載が不明確であるので，請求項１〜７に係る発明の特許は，特許法第２９条第２項の規定に違反してなされたものであり，また，特許法第３６条第６項に規定する要件を満たしていない出願に対してなされたものであるから取り消すべき旨主張している。
　
２　特許法第２９条第２項違反について
２−１　本件発明
　本件特許第３４２８９７９号の請求項１〜７に係る発明（以下「本件発明１」〜「本件発明７」という。）は，訂正明細書の特許請求の範囲の請求項１〜７に記載された事項により特定されるとおりのものである（上記第２，１参照）。
　
２−２　刊行物に記載された発明
(1)　特許異議申立人が提出した甲第１〜５号証は，次のとおりである。
　甲第１号証：特開平１１−１４９５０２号公報（以下「刊行物１」という。）
　甲第２号証：特開平９−３２５９３０号公報（以下「刊行物２」という。）
　甲第３号証：大竹剛「凸版印刷がコンテンツ流通に新手法　複数のＩＳＰへのコンテンツ配給が可能に」［online］１９９９年７月８日，日経ＢＰ社［２００１年１２月２６日検索］インターネット＜ＵＲＬ：http://www11.nikkeibp.co.jp/nnb/NEWS/9907/99070802.html＞（以下「刊行物３」という。）
　甲第４号証：特開平１１−４１２３０号公報（以下「刊行物４」という。）
　甲第５号証：特開平９−７３４８０号公報（以下「刊行物５」という。）
(2)　刊行物１には，プロバイダーと，このプロバイダーに加入している会員の会員端末と，有償コンテンツの提供を行うＷＷＷサーバとから構成されたシステムであって，ＷＷＷサーバがユーザに対して有償コンテンツを提供する際に，入力された会員のＩＤ及びパスワードをプロバイダーが認証すると共に，ユーザに提供した有償コンテンツに関する決済を，ユーザが加入しているプロバイダの決済の仕組みを利用して行うシステムが記載されている。
(3)　刊行物２には，サービス提供装置（ＨＥ）がユーザ（ＳＴＢ）に対して動画等のコンテンツ等サービスを提供する際に，サービス管理ノード（ＳＭＮ）が，予めサービス提供装置（ＨＥ）により発行されたアクセスキー及び当該サービス提供装置（ＨＥ）のアドレス情報が組となったデータを記憶しておき，ＳＴＢからのサービス提供要求に基づいてサービス管理ノード（ＳＭＮ）がアクセスキーを送信すると共に，これを受け取ったＳＴＢが当該アクセスキーを所定の関数ｆにより関数変換したアクセスキーをサービス提供装置（ＨＥ）に対して送信することでサービス要求するシステムが記載されている。
(4)　刊行物３には，あらかじめ凸版印刷が複数のインターネット・サービス・プロバイダー（ＩＳＰ）と契約して販売窓口を用意してもらうことで，複数のＩＳＰのＷｅｂサイトでコンテンツを販売できるようになること，及びコンテンツ制作者は凸版印刷にコンテンツを預けるだけでよく，個別にＩＳＰと交渉する必要がなくなること，そして，コンテンツの課金は各ＩＳＰの決済システムを活用し，ユーザーはＩＳＰが発行しているＩＤとパスワードを入力することでコンテンツを購入でき，代金の支払いはＩＳＰの利用料金と一緒に徴収することが記載されている。
(5)　刊行物４には，Ｗｅｂサーバ１がリンクされた認証Ｗｅｂサーバ１２とブラウザ（クライアント，ユーザ端末）２０との間に，認証マネージャー１１を介在させ，認証マネージャー１１による認証後に，認証Ｗｅｂサーバ１２によりＷｅｂサーバ１のコンテンツをブラウザ２０に提供するようにしたシステムが記載されている。
(6)　刊行物５には，ユーザのパソコンと，各種コンテンツ提供者とコンテンツ受け入れ契約を締結したコンテンツ流通事業者のＳＤセンタと，ユーザのパソコンとＳＤセンタとを接続するネットワークサービス会社から構成されたシステムにおいて，ＳＤセンタがコンテンツ提供者と契約したコンテンツを暗号化して記録したＣＤ−ＲＯＭを作成し，このＣＤ−ＲＯＭを取得したユーザがこれをパソコンにセットすることによりネットワークサービス会社を介してＳＤセンタに接続し，ＳＤセンタからコンテンツを復号化するための鍵等を取得することによりコンテンツを取得すると共に，当該代金の決済をネットワークサービス会社が行うようにしたシステムが記載されている。
　
２−３　対比・判断
(1)　本件発明１について
　本件発明１と刊行物１〜刊行物５に記載された発明とを対比すると，刊行物１〜刊行物５に記載された発明のいずれも，本件発明１の「ユーザー端末から受信した認証依頼に基づきユーザー認証し，認証されたユーザーからの有償情報の要求に基づいて，該有償情報にアクセスするためのアクセスキーの発行を有償情報流通者のサーバー装置に要求し，アクセスキーを含むＵＲＬ情報を前記有償情報流通者のサーバー装置から受信すると，購入要求された有償情報の課金種別に応じて当該ユーザーに課金するとともに，該受信したアクセスキーを含む前記有償情報流通者のサーバー装置のＵＲＬ情報を前記購入要求のなされたユーザー端末に送信する機能を有する複数のプロバイダーのサーバー装置」及び「前記購入要求を受信した前記複数のプロバイダーのサーバー装置から送信されたアクセスキー発行依頼データに含まれるプロバイダーを識別するためのプロバイダーＩＤ，有償情報の購入要求をするユーザーに対し該プロバイダーの付与したユーザーＩＤ，要求された有償情報を識別するためのコンテンツＩＤに基づいて，有償情報へのアクセスの正当性を判断するためのそれぞれ異なるアクセスキーを生成して該アクセスキーを含むＵＲＬ情報を生成するアクセスキー生成部」を有する「有償情報流通者のサーバー装置」を具備しておらず，刊行物１〜５には，これらを示唆する記載もない。
　本件発明１は，上記構成を具備することにより，異議意見書記載の「複数のプロバイダーのサーバー装置を販売窓口として，有償情報を提供することができ，プロバイダーにおけるユーザー情報の保護に優れ，ユーザーは安心して有償情報を購入することができる」という顕著な作用効果を奏するものと認められる。
　してみると，本件発明１は，刊行物１〜刊行物５に記載された発明に基づいて，当業者が容易に発明をすることができたものとすることができない。
(2)　本件発明２，３について
　本件発明２，３は，本件発明１の構成特定事項を全て含み，更に他の構成特定事項を付加したものに相当するから，上記(1)で述べたと同様の理由により，刊行物１〜刊行物５に記載された発明に基づいて，当業者が容易に発明をすることができたものとすることができない。
(3)　本件発明４について
　本件発明４と刊行物１〜刊行物５に記載された発明とを対比すると，刊行物１〜刊行物５に記載された発明のいずれも，本件発明４の「プロバイダーのサーバー装置から受信したアクセスキー発行依頼データに含まれる情報に基づいて，有償情報へのアクセスの正当性を判断するためのそれぞれ異なるアクセスキーを生成して該アクセスキーを含むＵＲＬ情報を生成するとともに，正当なＵＲＬ情報を送信したユーザー端末に該有償情報を送信する機能を有する有償情報流通者のサーバー装置」及び「ユーザー端末からユーザーの認証依頼を受信すると，認証するか否かを判別する認証判別部と，認証されたユーザーからの有償情報の要求に基づいて，該有償情報にアクセスするためのアクセスキーの発行を要求するデータであって，プロバイダーを識別するためのプロバイダーＩＤ，有償情報の購入要求をするユーザーに対し該プロバイダーが付与したユーザーＩＤ，要求された有償情報を識別するためのコンテンツＩＤを含むアクセスキー発行依頼データを発行するアクセスキー発行依頼部」を有する「複数のプロバイダーのサーバー装置」を具備しておらず，刊行物１〜５には，これらを示唆する記載もない。
　本件発明１は，上記手段を具備することにより，上記(1)に記載した作用効果と同じ顕著な作用効果を奏するものと認められる。
　してみると，本件発明４は，刊行物１〜刊行物５に記載された発明に基づいて，当業者が容易に発明をすることができたものとすることができない。
(4)　本件発明５について
　本件発明５は，本件発明１に係る有償情報流通者のサーバ装置及び本件発明４に係るプロバイダーのサーバ装置を備えた有償情報流通システムの発明であるから，上記(1)，(3)で述べたと同様の理由により，刊行物１〜刊行物５に記載された発明に基づいて，当業者が容易に発明をすることができたものとすることができない。
(5)　本件発明６，７について
　本件発明６，７は，それぞれ，本件発明５，１に対応する方法発明であるから，上記(1)，(4)で述べたと同様の理由により，刊行物１〜刊行物５に記載された発明に基づいて，当業者が容易に発明をすることができたものとすることができない。
　
３　特許法第３６条第６項違反について
(1)　特許異議申立人が主張する請求項１〜７の記載不備は，次のとおりである。
(i)　請求項１，４，５に「アクセスキー発行依頼データにより，それぞれ異なるアクセスキーを含むＵＲＬ情報を生成する」と記載され，請求項６，７に「アクセスキー発行依頼データから，それぞれ異なるアクセスキーを含むＵＲＬ情報を生成する」と記載されているが，「それぞれ異なるアクセスキー」は何に応じてそれぞれ異なるのか，明らかでない。また，「アクセスキー発行依頼データにより」の「により」という文言がどこに係るのか不明確である。
(ii)　請求項１〜７の「有償情報流通者」が本件発明の他の構成要素である「有償情報提供者」或いは「プロバイダー」といかなる関係にあるのか，不明確である。
(2)　上記(i)の主張について検討するに，請求項１の上記記載は，「アクセスキー発行依頼データに含まれるプロバイダーを識別するためのプロバイダーＩＤ，有償情報の購入要求をするユーザーに対し該プロバイダーの付与したユーザーＩＤ，要求された有償情報を識別するためのコンテンツＩＤに基づいて，有償情報へのアクセスの正当性を判断するためのそれぞれ異なるアクセスキーを生成して該アクセスキーを含むＵＲＬ情報を生成する」と訂正されたので，構文上の不明確さは解消し，また，「それぞれ異なるアクセスキー」は，アクセスキー発行依頼データに含まれるプロバイダーＩＤ，ユーザーＩＤ及びコンテンツＩＤに応じてそれぞれ異なることが明らかとなった。
　請求項４，５，６，７についても同様に訂正されたので，構文上の不明確さは解消し，また，「それぞれ異なるアクセスキー」は，アクセスキー発行依頼データに含まれるプロバイダーＩＤ，ユーザーＩＤ及びコンテンツＩＤに応じてそれぞれ異なることが明らかとなった。
(3)　上記(ii)の主張について検討するに，請求項１〜７には，「有償情報流通者のサーバー装置」と「プロバイダーのサーバー装置」が記載されており，「有償情報流通者のサーバー装置」を管理・運営するものが「有償情報流通者」であり，「プロバイダーのサーバー装置」を管理・運営するものが「プロバイダー」であることは，訂正明細書の記載に照らし明らかである。
　そして，訂正明細書の段落【０００７】に，「そこで本発明は，有償情報提供者とプロバイダーとの間にあらたに有償情報流通者を介在させ，該有償情報流通者を介して有償情報提供者から提供された有償情報をユーザーに提供することにより，有償情報提供者は自分の有償情報を単に有償情報流通者に提供するだけでプロバイダーの会員ユーザー全てを対象として当該有償情報を送信できることとなり，かつプロバイダーが有する課金，請求等の代金決済方法を利用することができる有償情報流通方法を提供する。」と記載され，段落【００８２】に，「・・・また，有償情報流通者（２００）が有償情報提供者（１００）を兼ねて，自身の有償情報（１）をサーバー（２０１）に登録することもできる。」と記載されているところ，「有償情報流通者」自体が有償情報を保有する場合があることは，容易に推測できることであるから，段落【００８４】は，本件発明１〜７の実施の態様として，有償情報流通者が有償情報提供者を兼ねる場合を述べたものであることは明らかであり，これによって本件発明１〜７が不明確となることはない。
　本件発明２の「有償情報提供者」と「有償情報流通者のサーバー装置」との関係についてみても，「有償情報流通者」と「有償情報提供者」が異なる場合には，「有償情報流通者のサーバー装置」が（有償情報流通者と異なる）有償情報提供者への有償情報実績報告情報を作成するということであり，「有償情報流通者」が「有償情報提供者」を兼ねる場合には，「有償情報流通者のサーバー装置」が（有償情報流通者と同一である）有償情報提供者への有償情報実績報告情報を作成するということであるから，「有償情報流通者」と「有償情報提供者」の関係は明確である。
(4)　したがって，請求項１〜７の記載には，特許異議申立人が主張する不備はない。
　
４　むすび
　以上のとおりであるから，請求項１〜７に係る発明の特許は，特許異議申立ての理由及び証拠によっては取り消すことはできない。
　また，他に請求項１〜７に係る発明の特許を取り消すべき理由を発見しない。
　よって，結論のとおり決定する。
【異議決定日】
平成１７年１０月１１日（２００５．１０．１１）
【訂正の要旨】
審決（決定）の【理由】欄参照。
（５４）【発明の名称】
有償情報の流通方法
（５７）【特許請求の範囲】
　【請求項１】有償情報の購入を選択して購入要求する際に、プロバイダー会員情報によりユーザーの認証を求める認証依頼を送信するユーザー端末と、
　
ユーザー端末から受信した
認証されたユーザーからの有償情報の要求に基づいて、該有償情報にアクセスするためのアクセスキーの発行を有償情報流通者のサーバー装置に要求し、アクセスキーを含むＵＲＬ情報を前記有償情報流通者のサーバー装置から受信すると、
当該ユーザーに課金するとともに、該受信したアクセスキーを含む
を前記購入要求のなされた
　該有償情報を保持する有償情報記憶部を有する前記有償情報流通者のサーバー装置と
　を備えた有償情報流通システムにおける有償情報流通者のサーバー装置において、
　前記購入要求を受信した前記複数のプロバイダーのサーバー装置から送信されたアクセスキー発行依頼データ
に含まれるプロバイダーを識別するためのプロバイダーＩＤ、有償情報の購入要求をするユーザーに対し該プロバイダーの付与したユーザーＩＤ、要求された有償情報を識別するためのコンテンツＩＤに基づいて、有償情報へのアクセスの正当性を判断するためのそれぞれ異なるアクセスキーを生成して該
　該アクセスキーの発行情報を登録するアクセス管理情報記憶部と、
　生成された該ＵＲＬ情報を前記
アクセスキー発行依頼データの送信を行った
　前記ユーザー端末から送信された該ＵＲＬ情報を受信すると、該ＵＲＬ情報からアクセスキーを抽出し、抽出した該アクセスキーと前記アクセス管理情報記憶部に登録されたアクセスキーの発行情報を対比して、該アクセスキーの正当性を判別するアクセスキー判別部と、
　前記アクセスキー判別部によって、該アクセスキーが正当と判別された場合には、該ＵＲＬ情報で特定された有償情報をユーザー端末に送信する有償情報送信部とを有することを特徴とする有償情報流通者のサーバー装置。
　【請求項２】前記有償情報に対するユーザーのアクセス状況を表わすアクセス情報を予め設定された第１の条件に従って抽出する手段と、
　抽出された前記アクセス情報を基に、予め設定された第２の条件に従って有償情報提供者への有償情報実績報告情報を作成する手段と、
　前記有償情報実績報告情報を出力する手段と
　をさらに有することを特徴とする請求項１に記載の有償情報流通者のサーバー装置。
　【請求項３】前記アクセスキー判別部は、正当なアクセスキーを最初に受けたときに、前記ＵＲＬ情報の送信側の送信アドレスを記憶し、同一のアクセスキーを再度受けた際に、記憶した前記送信アドレスが同一か否かによる正当性判断をさらに行う
　ことを特徴とする請求項１または請求項２のいずれかに記載の有償情報流通者のサーバー装置。
　【請求項４】有償情報の購入を選択して購入要求する際に、プロバイダー会員情報によりユーザーの認証を求める認証依頼を送信するユーザー端末と、
　プロバイダー会員情報を保持する会員情報記憶部を有する複数のプロバイダーのサーバー装置と、
　
プロバイダーのサーバー装置から受信した
に含まれる情報に基づいて、有償情報へのアクセスの正当性を判断するためのそれぞれ異なるアクセスキーを生成して該
　を備えた有償情報流通システムにおけるプロバイダーのサーバー装置において、
　
ユーザー端末から
　認証されたユーザーからの有償情報の要求に基づいて、該有償情報にアクセスするためのアクセスキーの発行を要求する
データであって、プロバイダーを識別するためのプロバイダーＩＤ、有償情報の購入要求をするユーザーに対し該プロバイダーが付与したユーザーＩＤ、要求された有償情報を識別するためのコンテンツＩＤを含むアクセスキー発行依頼データを発行する
　アクセスキーを含むＵＲＬ情報を前記有償情報流通者のサーバー装置から受信すると、前記会員情報記憶部に当該ユーザーの課金情報を有償情報の課金種別に応じて記録する課金情報記録部と、
　該ＵＲＬ情報をユーザー端末に送信する送信部と
　を有することを特徴とするプロバイダーのサーバー装置。
　【請求項５】有償情報の購入を選択して購入要求する際に、プロバイダー会員情報によりユーザーの認証を求める認証依頼を送信するユーザー端末と、
　
ユーザー端末から
データであって、プロバイダーを識別するためのプロバイダーＩＤ、有償情報の購入要求をするユーザーに対し該プロバイダーが付与したユーザーＩＤ、要求された有償情報を識別するためのコンテンツＩＤを含むアクセスキー発行依頼データを発行する
複数の
　前記購入要求を受信した前記複数のプロバイダーのサーバー装置から送信されたアクセスキー発行依頼データ
に含まれる情報に基づいて、有償情報へのアクセスの正当性を判断するためのそれぞれ異なるアクセスキーを生成して該
前記アクセスキー発行依頼データの送信を行った
　を備えること
を
　【請求項６】有償情報の購入を選択して、購入要求をする際に、プロバイダー会員情報によりユーザーの認証を求める認証依頼を送信するユーザー端末と、プロバイダー会員情報を保持する会員情報記憶部を有する複数のプロバイダーのサーバー装置と、該有償情報を保持する記憶部を有する有償情報流通者のサーバー装置とを備えた有償情報流通システムを利用して、前記ユーザー端末が有償情報を取得する方法であって、
　
プロバイダーのサーバー装置が、ユーザー端末より
　
前記プロバイダーのサーバー装置が、
　
前記プロバイダーのサーバー装置が、前記有償情報の購入要求に基づいて、該有償情報にアクセスするためのアクセスキーの発行を要求するデータであって、プロバイダーを識別するためのプロバイダーＩＤ、有償情報の購入要求をするユーザーに対し該プロバイダーが付与したユーザーＩＤ、要求された有償情報を識別するためのコンテンツＩＤを含む
　
前記有償情報流通者のサーバー装置が、
に含まれる情報に基づいて、有償情報へのアクセスの正当性を判断するためのそれぞれ異なるアクセスキーを生成して該
アクセスキー発行依頼データの送信を行った
　
前記プロバイダーのサーバー装置が、
購入要求を行った前記ユーザーに
　該ＵＲＬ情報を受信したユーザー端末
が、
　
前記有償情報流通者のサーバー装置が、該ＵＲＬ情報を受信したユーザー端末から該ＵＲＬ情報を受信するステップと、
　
前記有償情報流通者のサーバー装置が、
　を有することを特徴とする有償情報取得方法。
　【請求項７】有償情報の購入を選択して購入要求をする際に、プロバイダー会員情報によりユーザーの認証を求める認証依頼を送信するユーザー端末と、
　プロバイダー会員情報を保持する会員情報記憶部
を有し、ユーザーの端末から受信した認証依頼に基づきユーザー認証し、認証されたユーザーからの有償情報の要求に基づいて、該有償情報にアクセスするためのアクセスキーの発行を有償情報流通者のサーバー装置に要求し、アクセスキーを含むＵＲＬ情報を前記有償情報流通者のサーバー装置から受信すると、購入要求された有償情報の課金種別に応じて当該ユーザーに課金するとともに、該受信したアクセスキーを含むＵＲＬ情報を前記購入要求のなされたユーザー端末に送信する機能を有する
　該有償情報を保持する記憶部と、アクセスキーの発行情報を登録するアクセス管理情報記憶部とを有する有償情報流通者のサーバー装置と
　を備えた有償情報流通システムを利用して、前記有償情報流通者のサーバー装置から該有償情報をユーザー端末に送信する方法であって、
　
前記有償情報流通者のサーバー装置が、
　前記購入要求を受信したプロバイダーのサーバー装置から
、プロバイダーを識別するためのプロバイダーＩＤ、有償情報の購入要求をするユーザーに対し該プロバイダーが付与したユーザーＩＤ、要求された有償情報を識別するためのコンテンツＩＤを含む
　受信された前記アクセスキー発行依頼データ
に含まれる情報に基づいて、有償情報へのアクセスの正当性を判断するためのそれぞれ異なるアクセスキーを生成して該
アクセスキー発行依頼データの送信を行った
　該ＵＲＬ情報を受信したユーザー端末から、該ＵＲＬ情報を受信するステップと、
　受信された該ＵＲＬ情報からアクセスキーを抽出し、抽出した該アクセスキーと前記アクセス管理情報記憶部に登録されたアクセスキーの発行情報を対比して、該アクセスキーの正当性を判別し、正当な場合、該ＵＲＬ情報で特定された有償情報をユーザー端末に送信するステップと
　を
実行する
【発明の詳細な説明】
　【０００１】
　【発明の属する技術分野】
　本発明は、コンピューターシステムを用いてネットワーク上で有償情報を流通させる方法、システム、及びプログラムに関するものである。
　【０００２】
　【従来の技術及び発明が解決しようとする課題】
　ネットワーク上で、有償情報をネットワークのサーバーからユーザーへ送信することは広く行われている。このとき問題となるのは、当該有償情報を提供する者にとっては、有償情報の送信、ユーザーへの課金、請求を含めた対価の回収などをどのように行うかということである。すなわち有償情報提供者がユーザーに対するこれらのシステムを独自に構築することは大変な労力とコストが必要となる。
　【０００３】
　そこで、有償情報提供者は既存の特定のプロバイダーに有償情報を提供し、該プロバイダーからその登録会員であるユーザーに対して前記有償情報を送信することが考えられる。そして、当該プロバイダーがネットワーク接続料金等の利用料金を会員ユーザーに請求する際に、有償情報の送信による対価を当該利用料金に加算して請求してもらうことにより、有償情報提供者は有償情報の提供に応じた対価の回収を行うという方法がとられている。
　【０００４】
　しかしながら、この方法では、特定のプロバイダーの登録会員ユーザーにしか有償情報を提供することができず、有償情報提供者にとっては、有償情報の受信が可能となるユーザー数をそれほど広げることができなかった。そこで、有償情報提供者としては、有償情報の受信が可能なユーザーを増やすために複数のプロバイダーに有償情報を提供することも考えられるが、この場合は各々プロバイダーのサーバーに有償情報を登録してもらうためには、各々のプロバイダーの仕様等に合わせた有償情報を作成して各々のプロバイダーにこれを提供しなければならず、有償情報提供者にとっては非常にわずらわしい作業となっていた。さらに、プロバイダー毎に、その課金処理や対価の請求、支払い処理方法が異なるため、これらに対応するためには初期段階においても労力、コスト、及び技術的ノウハウが必要であり、また運用においても多くの人員とコストが必要となった。
　【０００５】
　また、有償情報提供者としては、プロバイダーの会員数の増減状況を見ながらユーカラからのアクセス回数を増やすために、有償情報の提供をある特定のプロバイダーから他の特定のプロバイダーへ切り替える場合や、ある特定のプロバイダーの登録会員ユーザーに対してのみ先行して有償情報の送信を行うといった流通戦略をとろうとする場合にも、前記したように、プロバイダー毎に対応した課金処理や対価の請求、支払等の処理のしかたに個別に対応しなければならないという問題が生じた。
　【０００６】
　一方、ユーザーとしては有償情報にアクセスする時に問題となるのが、ＩＤ、パスワードといった認証情報等の入力のわずらわしさである。通常ユーザーはプロバイダーの登録会員に与えられている会員ＩＤだけでなく、課金、請求等の代金決済を行う際に必要となるクレジット会社の会員ＩＤなども入力する必要があった。しかも、これらの入力作業は有償情報にアクセスする毎に毎回行わなければならず、ユーザーにとっては非常に煩わしいものであった。また、プロバイダーの会員ＩＤ及びクレジット会社の会員ＩＤは非常に機密性の高い情報であり、これをインターネットなどのようなネットワーク上で送受信するのは、安全面で問題があった。
　【０００７】
　そこで本発明は、有償情報提供者とプロバイダーとの間にあらたに有償情報流通者を介在させ、該有償情報流通者を介して有償情報提供者から提供された有償情報をユーザーに提供することにより、有償情報提供者は自分の有償情報を単に有償情報流通者に提供するだけでプロバイダーの会員ユーザー全てを対象として当該有償情報を送信できることとなり、かつプロバイダーが有する課金、請求等の代金決済方法を利用することができる有償情報流通方法を提供する。
　【０００８】
　また、ユーザーが端末からネットワークを通して有償情報流通者のサーバーに送信してくるアクセス要求を有償情報流通者のサーバーが作成した固有情報のみとすることで、ユーザーにとっては有償情報のアクセス要求時における入力作業を軽減し、かつネットワーク上における情報の安全性を高めた有償情報流通方法を提供する。
　【０００９】
　また、本発明は、既存のサービスにおいてユーザーを獲得しているプロバイダーを販売チャネルとして活用し、かつ当該プロバイダーの料金決済手段を活用することができ、有償情報提供者だけでなく有償情報流通者にとってもユーザー管理業務や課金処理、請求、および回収等の代金決済業務において過度の負担をかけることなく、またユーザー認証や決済に関わる情報の安全性を確保し、不正アクセス等による有償情報の流出やそれに伴う販売機会の損失を防止し、低コストのネットワーク構成により実現可能である有償情報の流通方法、有償情報流通システム、サーバー、およびそのプログラムを記録した記録媒体を提供することを目的とする。
　【００１０】
　【課題を解決するための手段】
　本発明は、ネットワーク上での有償情報の流通方法であって、有償情報提供者の有償情報を記録した有償情報流通者のサーバーと、該有償情報流通者のサーバーと接続した複数又は選択されたプロバイダーのサーバーと、該プロバイダーのサーバーと接続したプロバイダー会員情報を有するユーザーの端末とを用いて、前記プロバイダーのサーバーを介して前記ユーザーの端末から有償情報要求情報を受信した有償情報流通者のサーバーが、前記ユーザーの端末に有償情報を提供し、前記ユーザーに対して課金処理を行い、該課金処理されたデータに基づき前記プロバイダーを選択処理し、該選択したプロバイダーに請求処理を行う有償情報の流通方法を要旨とする。
　【００１１】
　このような本発明によれば、有償情報提供者は有償情報流通者のサーバーにのみ有償情報を記録するだけで、該有償情報流通者のサーバーから複数の又は選択されたプロバイダーを介して該プロバイダーの会員情報を有する多数のユーザーに対して有償情報の提供を行うことができる。
　【００１２】
　また、本発明は、上記の有償情報の流通方法において、前記有償情報流通者のサーバーは有償情報要求情報に基づき認証処理するところの有償情報の流通方法である。
　【００１３】
　また、本発明は、上記の有償情報の流通方法において、前記有償情報要求情報が、ユーザーの端末から送信するプロバイダー会員情報と、該プロバイダー会員情報を受信したプロバイダーのサーバーが有償情報流通者のサーバーに送信する有償情報会員情報であるところの有償情報の流通方法である。
　【００１４】
　また、本発明は、上記の有償情報の流通方法において、前記有償情報流通者のサーバーは、前記有償情報提供者に対して有償情報の売上処理をし、該売上処理されたデータに基づき前記有償情報提供者へ支払い処理を行うものであるところの有償情報の流通方法である。
　【００１５】
　また、本発明は、コンピューターシステムを用いた有償情報の流通方法であって、決済手段および情報提供手段を有するプロバイダーを通じて、ユーザーからの要求を受け、予め記憶しておいた有償情報の中から前記要求に対応する有償情報を前記ユーザーに提供する有償情報の流通方法を要旨とする。
　【００１６】
　このような発明により、プロバイダーを販売チャネルとして活用して、より幅広いマーケットにおいて有償情報を販売することが可能となるとともに、既にプロバイダーにおいて構築されている代金決済手段利用することができるため、決済のための新たな仕組みを構築する必要がない。
　【００１７】
　また、本発明は、上記の有償情報の流通方法において、前記プロバイダーは、複数のプロバイダーの中からユーザーによって選択された任意のプロバイダーであるところの有償情報の流通方法である。
　【００１８】
　また、本発明は、上記の有償情報の流通方法において、前記プロバイダーを通じて当該有償情報の提供に対する代金決済を前記ユーザーとの間で行うとともに、前記有償情報の提供者との間で当該有償情報の提供に対する代金決済を行うところの有償情報の流通方法である。
　【００１９】
　また、本発明は、上記の有償情報の流通方法において、前記ユーザーに対してアクセス許可情報を予め付与しておき、当該ユーザーからの要求を受けたときに、予めユーザーと関連付けて記憶したアクセス許可情報と当該要求に含まれるアクセス許可情報とを比較して当該ユーザーがアクセス許可されていると判別したときは、当該要求に対応する有償情報を提供するところの有償情報の流通方法である。
　【００２０】
　また、本発明は、上記の有償情報の流通方法において、前記アクセス許可情報にはプロバイダーに関する情報が含まれているところの有償情報の流通方法である。
　【００２１】
　また、本発明は、コンピューターシステムを用いた有償情報の流通方法であって、情報提供者から提供された有償情報を記憶しておき、決済手段および情報提供手段を有するプロバイダーを通じてユーザーからアクセス許可の要求を受けたとき、アクセス許可情報を生成して当該ユーザーに提供するとともに、当該ユーザーと関連付けて前記アクセス許可情報を記憶し、ユーザーからアクセス許可情報に基づく有償情報要求情報を受けたとき、当該有償情報要求情報に含まれるアクセス許可情報を記憶されたアクセス許可情報とを比較して、当該ユーザーがアクセス許可されていると判別した場合には前記有償情報要求情報に対応する有償情報を提供し、前記プロバイダーを通じて当該有償情報の提供に対する代金決済をユーザーとの間で行うとともに、情報提供者との間で有償情報の提供に対する代金決済を行う有償情報の流通方法を要旨とする。
　【００２２】
　また、本発明は、コンピューターシステムを用いた有償情報の流通方法であって、情報提供者から提供された有償情報を記憶しておき、決済手段および情報提供手段を有する複数のプロバイダーのうちユーザーによって選択された任意のプロバイダーを通じて当該ユーザーからアクセス許可の要求を受けたとき、アクセス許可情報を生成して当該ユーザーに提供するとともに、当該ユーザーおよび当該プロバイダーと関連付けて前記アクセス許可情報を記憶し、ユーザーからアクセス許可情報に基づく有償情報要求情報を受けたとき、当該有償情報要求情報に含まれるアクセス許可情報と記憶されたアクセス許可情報とを比較して、当該ユーザーがアクセス許可されていると判別した場合には前記有償情報要求情報に対応する有償情報を提供し、前記アクセス許可情報に関連付けられたプロバイダーを通じて有償情報の提供に対する代金決済をユーザーとの間で行うとともに、情報提供者との間で有償情報の提供に対する代金決済を行う有償情報の流通方法を要旨とする。
　【００２３】
　これらの発明により、不正アクセス等による有償情報の流出やそれに伴う販売機会の損失を防止することができる。また、これによって有償情報の経済的価値を適切に維持することが可能となる。
　【００２４】
　また、本発明は、上記の有償情報の流通方法において、前記アクセス許可情報には、ユーザーを特定するためのユーザー識別情報と有償情報を特定するためのコンテンツ識別情報とが含まれるところの有償情報の流通方法である。
　【００２５】
　また、本発明は、上記の有償情報の流通方法において、前記アクセス許可情報には、当該アクセス許可情報が生成された日時に関する情報が含まれるところの有償情報の流通方法である。
　【００２６】
　また、本発明は、上記の有償情報の流通方法において、ユーザーからアクセス許可情報に基づく有償情報要求情報を受けたとき、当該有償情報要求情報に含まれるアクセス許可情報から当該アクセス許可情報が生成された日時に関する情報を抽出し、この日時に関する情報に基づいて有償情報提供の可否を判別するところの有償情報の流通方法である。
　【００２７】
　また、本発明は、有償情報提供者の有償情報を保持する有償情報流通者のサーバーと、該有償情報流通者のサーバーと接続されたプロバイダーのサーバーとを用いたネットワーク上での有償情報の流通方法であって、前記有償情報流通者のサーバーは、ユーザーの端末から送られる情報に基づく有償情報要求情報を前記プロバイダーのサーバーから受信し、前記有償情報要求情報に基づいて前記ユーザーの端末に有償情報を提供するとともに、当該有償情報に基づく課金データを前記プロバイダーのサーバーに送信する有償情報の流通方法を要旨とする。
　【００２８】
　この発明により、プロバイダーを通じて有償情報をユーザーの端末に提供するとともに、この有償情報に関する課金データを基にプロバイダーに対して請求を行うことができる。
　【００２９】
　また、本発明は上記の有償情報の流通方法において、前記有償情報流通者のサーバーは、前記有償情報要求情報に基づいて前記有償情報のユーザー端末への提供の可否を判断するところの有償情報の流通方法である。
　【００３０】
　また、本発明は上記の有償情報の流通方法において、前記有償情報要求情報は、前記ユーザーの端末から送られるプロバイダー会員資格に関する情報と、前記プロバイダーのサーバーによって管理されているプロバイダー会員資格に関する情報とに基づくものであるところの有償情報の流通方法である。
　【００３１】
　また、本発明は上記の有償情報の流通方法において、前記有償情報流通者のサーバーは、前記課金データに基づき、有償情報提供者に対する有償情報の提供に関する対価の支払に関する処理を行うところの有償情報の流通方法である。
　【００３２】
　また、本発明は、有償情報の提供実績情報を管理するために、ネットワークを有償情報流通者における有償情報の提供実績運用方法として、前記有償情報に対する前記ユーザーのアクセス状況を表すアクセス情報を予め設定された第１の条件に従って抽出する第１のステップと、抽出された前記アクセス情報を基に、予め設定された第２の条件に従って前記有償情報提供者への有償情報実績報告情報を作成する第２のステップと、前記有償情報実績報告情報を前記有償情報提供者に出力する第３のステップからなる有償情報の提供実績情報運用方法を発明の要旨とする。
　【００３３】
　これにより、第１のステップにおいては、予め設定された第１の条件に従ってアクセス情報を抽出する。また、第２のステップにおいては、第１のステップで抽出されたアクセス情報を基に、予め設定された第２の条件に従って有償情報実績報告情報を作成する。また、第３のステップにおいては有償情報実績報告情報を出力することにより有償情報提供者がこの有償情報実績報告情報を参照することが可能となる。
　【００３４】
　また、本発明は、上記の有償情報の提供実績情報運用方法において、前記有償情報実績報告情報は前記有償情報提供者への支払情報を含むものであるところの有償情報の提供実績情報運用方法である。
　【００３５】
　また、本発明は、上記の有償情報の提供実績情報運用方法において、前記第２の条件は前記有償情報提供者に応じて設定されるものであるところの有償情報の提供実績情報運用方法である。
　【００３６】
　また、本発明は、上記の有償情報の提供実績情報運用方法において、前記第２の条件は前記有償情報流通者より設定されるものであるところの有償情報の提供実績情報運用方法である。
　【００３７】
　また、本発明は、上記の有償情報の提供実績情報運用方法において、前記第１の条件に従って抽出された前記アクセス情報は、少なくともアクセス日時とユーザー識別情報とプロバイダー識別情報と有償情報識別情報とを含むものであるところの有償情報の提供実績情報運用方法である。
　【００３８】
　また、本発明は、上記の有償情報の提供実績情報運用方法において、前記有償情報実績報告情報は、前記有償情報毎に作成され、前記プロバイダー毎に集計されたアクセス情報を含むものであるところの有償情報の提供実績情報運用方法である。
　【００３９】
　また、本発明は、上記の有償情報の提供実績情報運用方法において、前記支払情報は、前記プロバイダー毎に作成され、前記有償情報別に集計されたアクセス情報を含むものであるところの有償情報の提供実績情報運用方法である。
　【００４０】
　また、本発明は、上記の有償情報の提供実績情報運用方法において、前記アクセス情報に基づいて前記有償情報の表示を変更するところの有償情報の提供実績情報運用方法である。
　【００４１】
　また、本発明は、上記の有償情報の提供実績情報運用方法において、前記アクセス情報から抽出された前記有償情報へのアクセス数、アクセス時間により前記有償情報へのリンク広告の表示を変更するところの有償情報の提供実績情報運用方法である。
　【００４２】
　また、本発明は、上記の有償情報の提供実績情報運用方法において、前記アクセス情報から抽出された前記有償情報へのアクセス数、アクセス時間により前記有償情報の内容変更を行うところの有償情報の提供実績情報運用方法である。
　【００４３】
　また、本発明は、情報提供者から提供された有償情報を記憶しておく有償情報記憶部と、決済手段および情報提供手段を有するプロバイダーを通じて受信したユーザーからの要求に基づき有償情報を送信する有償情報送信部と、当該有償情報の提供に対するユーザーとの間の代金決済データおよび前記有償情報の提供に関する情報提供者との間の代金決済データを生成する決済データ生成部とを備える有償情報流通システムを要旨とする。
　【００４４】
　また、本発明は、情報提供者から提供された有償情報を記憶しておく有償情報記憶部と、決済手段および情報提供手段を有する複数のプロバイダーのうちユーザーによって選択された任意のプロバイダーを通じて受信したユーザーからの要求に基づき有償情報を送信する有償情報送信部と、当該有償情報の提供に対するユーザーとの間の代金決済データを当該ユーザーによって選択されたプロバイダーごとに生成するとともに有償情報の提供に対する情報提供者との間の代金決済データを生成する決済データ生成部とを備える有償情報流通システムを要旨とする。
　【００４５】
　これらの発明により、プロバイダーを通じて受信したユーザーからの要求に基づき、有償情報をユーザーに提供するとともに、上記代金決済データを用いることによって当該有償情報の代金を決済することが可能となる。
　【００４６】
　また、本発明は、上記の有償情報流通システムにおいて、前記ユーザーに対して予め付与されたアクセス許可情報を当該ユーザーと関連付けて記憶するアクセス許可情報記憶部と、ユーザーからの要求を受けたときに、当該要求に含まれるアクセス許可情報とアクセス許可情報記憶部に記憶されたアクセス許可情報とを比較して、当該ユーザーがアクセス許可されているか否かを判別するアクセス許可判別部とを備え、アクセスが許可されていると判別した場合には当該要求に対応する有償情報を提供するところの有償情報流通システムである。
　【００４７】
　また、本発明は、上記の有償情報流通システムにおいて、前記アクセス許可情報には、プロバイダーに関する情報が含まれるところの有償情報流通システムである。
　【００４８】
　また、本発明は、情報提供者から提供された有償情報を記憶しておく有償情報記憶部と、決済手段および情報提供手段を有するプロバイダーを通じて受信したユーザーからの要求に基づき、アクセス許可情報を生成するとともに当該ユーザーに提供するアクセス許可情報生成部と、当該アクセス許可情報を当該ユーザーと関連付けて記憶するアクセス許可情報記憶部と、ユーザーからアクセス許可情報に基づく有償情報要求情報を受けたとき、当該有償情報要求情報に含まれる前記アクセス許可情報と記憶された前記アクセス許可情報とを比較して、当該ユーザーがアクセス許可されているか否かを判別するアクセス許可判別部と、アクセスが許可されていると判別した場合には前記有償情報要求情報に対応する有償情報を提供する有償情報送信部と、有償情報の提供に対するユーザーとの間の代金決済データおよび有償情報の提供に関する情報提供者との間の代金決済データを生成する決済データ生成部とを備える有償情報流通システムを要旨とする。
　【００４９】
　また、本発明は、情報提供者から提供された有償情報を記憶しておく有償情報記憶部と、決済手段および情報提供手段を有する複数のプロバイダーのうちユーザーによって選択された任意のプロバイダーを通じて受信したユーザーからの要求に基づきアクセス許可情報を生成するとともに当該ユーザーに提供するアクセス許可情報生成部と、当該ユーザーおよび当該プロバイダーと関連付けて当該アクセス許可情報を記憶するアクセス許可情報記憶部と、ユーザーからアクセス許可情報に基づく有償情報要求情報を受けたとき、当該有償情報要求情報に含まれるアクセス許可情報と記憶されたアクセス許可情報とを比較して、当該ユーザーがアクセス許可されているか否かを判別するアクセス許可判別部と、アクセスが許可されていると判別した場合には前記有償情報要求情報に対応する有償情報を提供する有償情報送信部と、有償情報の提供に対するユーザーとの間の代金決済データを当該ユーザーによって選択されたプロバイダーごとに生成するとともに有償情報の提供に対する情報提供者との間の代金決済データを生成する決済データ生成部とを備える有償情報流通システムを要旨とする。
　【００５０】
　また、本発明は、上記の有償情報流通システムにおいて、前記アクセス許可情報には、ユーザーを特定するためのユーザー識別情報と有償情報を特定するためのコンテンツ識別情報とが含まれるところの有償情報流通システムである。
　【００５１】
　また、本発明は、上記の有償情報流通システムにおいて、前記アクセス許可情報には、ユーザーを特定するためのユーザー識別情報と有償情報を特定するためのコンテンツ識別情報とが含まれるところの有償情報流通システムである。
　【００５２】
　また、本発明は、上記の有償情報流通システムにおいて、前記アクセス許可情報には、当該アクセス許可情報が生成された日時に関する情報が含まれるところの有償情報流通システムである。
　【００５３】
　また、本発明は、上記の有償情報流通システムにおいて、前記アクセス許可情報には、当該アクセス許可情報が生成された日時に関する情報が含まれるところの有償情報流通システムである。
　【００５４】
　また、本発明は、上記の有償情報流通システムにおいて、前記アクセス許可判別部は、ユーザーからアクセス許可情報に基づく有償情報要求情報を受けたとき、当該有償情報要求情報に含まれるアクセス許可情報から当該アクセス許可情報が生成された日時に関する情報を抽出し、この日時に関する情報に基づいて有償情報提供の可否を判別するところの有償情報流通システムである。
　【００５５】
　また、本発明は、上記の有償情報流通システムにおいて、前記アクセス許可判別部は、ユーザーからアクセス許可情報に基づく有償情報要求情報を受けたとき、当該有償情報要求情報に含まれるアクセス許可情報から当該アクセス許可情報が生成された日時に関する情報を抽出し、この日時に関する情報に基づいて有償情報提供の可否を判別するところの有償情報流通システムである。
　【００５６】
　また、本発明は、有償情報を保持する有償情報記憶部と、該有償情報へのアクセス管理のための情報を保持するアクセス情報記憶部と、ユーザーからの購入要求に基づくアクセスキー発行依頼データを第１の通信ネットワークを通して受信するアクセスキー発行依頼受信部と、前記アクセスキー発行依頼データに基づきアクセスキーを生成し、該アクセスキーに関する情報をアクセスキー情報記憶部に記憶し、該アクセスキーを送信するアクセスキー生成部と、アクセスキーに基づいて生成された有償情報要求データを受信し、該有償情報要求データから該アクセスキーを抽出し、抽出した該アクセスキーをもとにアクセスキー情報記憶部を検索することによって、この有償情報要求データの正当性を判別するアクセスキー判別部と、アクセスキー判別部によって有償情報要求データが正当と判別された場合には、要求された有償情報を有償情報記憶部から読み出して、第２の通信ネットワークを通じて送信する有償情報送信部とを有する有償情報流通者のサーバーと、ユーザーに関する情報およびユーザーに対する課金情報を保持する会員情報記憶部と、ユーザーからの購入要求に基づく情報を会員情報記憶部に書き込む有償サービス登録処理部と、購入要求に基づいて、有償情報にアクセスするためのアクセスキーの発行を要求するアクセスキー発行依頼データを送信するアクセスキー発行依頼部と、アクセスキー発行依頼データに対応するアクセスキーを受信するアクセスキー受信部と、アクセスキーに基づくデータをユーザーに送信するアクセスキー送信部とを有するプロバイダーのサーバーとを備え、前記アクセスキー発行依頼受信部は、前記アクセスキー発行依頼部が送信するアクセスキー発行依頼データを受信し、前記アクセスキー受信部は、前記アクセスキー生成部が送信するアクセスキーを受信する有償情報流通システムを要旨とする。
　【００５７】
　また、本発明は、ユーザーに関する情報およびユーザーに対する課金情報を保持する会員情報記憶部と、ユーザーからの購入要求に基づく情報を前記会員情報記憶部に書き込む有償サービス登録処理部と、前記購入要求に基づいて、有償情報にアクセスするためのアクセスキーの発行を要求するアクセスキー発行依頼データを送信するアクセスキー発行依頼部と、アクセスキー発行依頼データに対応するアクセスキーを受信するアクセスキー受信部と、アクセスキーに基づくデータをユーザーに送信するアクセスキー送信部とを備えるプロバイダーのサーバーを要旨とする。
　【００５８】
　また、本発明は、上記のプロバイダーのサーバーにおいて、前記アクセスキー発行依頼データには、ユーザーを識別するユーザー識別情報と購入対象となる有償情報を識別するコンテンツ識別情報とが含まれているところのプロバイダーのサーバーである。
　【００５９】
　また、本発明は、上記のプロバイダーのサーバーにおいて、前記アクセスキー送信部からユーザーに送信されたデータには、ユーザー端末に対し前記アクセスキーに基づく有償情報へのアクセスの処理を強制的に実行するデータが含まれているところのプロバイダーのサーバーである。
　【００６０】
　また、本発明は、上記のプロバイダーのサーバーにおいて、前記アクセスキー送信部からユーザーに送信されたデータには、前記アクセスキーに基づくユニフォームリソースロケーターデータが含まれているところのプロバイダーのサーバーである。
　【００６１】
　また、本発明は、上記のプロバイダーのサーバーにおいて、前記アクセスキー受信部は、前記アクセスキーを正常に受信した際に、前記会員情報記憶部に課金情報を書き込むものであるところのプロバイダーのサーバーである。
　【００６２】
　また、本発明は、上記のプロバイダーのサーバーにおいて、前記課金データに基づきユーザーへの有償情報の料金請求のためのデータを生成する請求処理部を有するところのプロバイダーのサーバーである。
　【００６３】
　また、本発明は、有償情報を保持する有償情報記憶部と、該有償情報へのアクセス管理のための情報を保持するアクセス情報記憶部と、アクセスキー発行依頼データを第１の通信ネットワークを通して受信するアクセスキー発行依頼受信部と、アクセスキー発行依頼データに基づきアクセスキーを生成し、該アクセスキーに関する情報をアクセス情報記憶部に記憶し、該アクセスキーを送信するアクセスキー生成部と、アクセスキーに基づいて生成された有償情報要求データを受信し、該有償情報要求データからアクセスキーを抽出し、抽出した該アクセスキーをもとにアクセス情報記憶部を検索することによって、この有償情報要求データの正当性を判別するアクセスキー判別部と、アクセスキー判別部によって有償情報要求データが正当と判別された場合には、要求された有償情報を有償情報記憶部から読み出して、第２の通信ネットワークを通して送信する有償情報送信部とを備える有償情報流通者のサーバーを要旨とする。
　【００６４】
　また、本発明は、上記有償情報流通者のサーバーにおいて、前記第１の通信ネットワークは、前記第２の通信ネットワークと異なるものであるところの有償情報流通者のサーバーである。
　【００６５】
　また、本発明は、上記有償情報流通者のサーバーにおいて、前記アクセスキー発行依頼受信部は、ユーザーを識別するユーザー識別情報と有償情報を識別するコンテンツ識別情報とを含む前記アクセスキー発行依頼データを受信し、前記アクセスキー生成部は、当該ユーザー識別情報と当該コンテンツ識別情報とに基づきアクセスキーを生成するところの有償情報流通者のサーバーである。
　【００６６】
　また、本発明は、上記有償情報流通者のサーバーにおいて、前記アクセスキー生成部は、日時に基づきアクセスキーを生成し、該日時に関する情報を前記アクセス情報記憶部に記憶し、前記アクセスキー判別部は、有償情報要求データから抽出したアクセスキーに基づき当該アクセスキーの生時の日時を得て、当該日時とアクセスキー判別時点の日時との比較結果に基づいて、前記有償情報要求データの正当性を判別するところの有償情報流通者のサーバーである。
　【００６７】
　また、本発明は、上記有償情報流通者のサーバーにおいて、前記アクセスキー判別部は、アクセスキーに基づく有償情報要求データを受信する都度、送信元のユーザー端末の通信アドレスに関する比較結果に基づいて、前記有償情報要求データの正当性を判別するところの有償情報流通者のサーバーである。
　【００６８】
　また、本発明は、上記有償情報流通者のサーバーにおいて、前記アクセスキー発行依頼受信部は、前記有償情報要求データの送信時に用いられるユーザー端末の通信アドレスに関する情報を含む前記アクセスキー発行依頼データを受信し、前記アクセスキー判別部は、前記アクセスキー発行依頼データから抽出されたユーザー端末の通信アドレスと当該有償情報要求データの送信元となるユーザー端末の通信アドレスとを比較して前記有償情報要求データの正当性を判別するところの有償情報流通者のサーバーである。
　【００６９】
　これらのサーバーあるいはシステムを用いることにより、プロバイダーを介した有償情報の流通およびその代金の決済を実現することができる。
　【００７０】
　また、本発明は、アクセスキー発行依頼データを受信するアクセスキー発行依頼受信処理と、少なくとも前記アクセスキー発行依頼データに基づきアクセスキーを生成し、該アクセスキーに関する情報をアクセス情報記憶部に記憶し、該アクセスキーを送信するアクセスキー生成処理と、アクセスキーに基づいて生成された有償情報要求データを受信し、該有償情報要求データから該アクセスキーを抽出し、抽出した該アクセスキーをもとに前記アクセスキー情報記憶部を検索することによって、この有償情報要求データの正当性を判別するアクセスキー判別処理と、前記アクセスキー判別処理によって前記有償情報要求データが正当と判別された場合には、要求された有償情報を送信する有償情報送信処理とをコンピューターに実行させるプログラムを記録したコンピューター読み取り可能な記録媒体を要旨とする。
　【００７１】
　このような発明により、ユーザーの端末から受信するアクセスキー発行依頼データに基づきアクセスキーを生成し、ユーザーの端末からこのアクセスキーを伴って有償情報要求データを受信した際にはその正当性を判別してから有償情報を送信する処理をコンピューターによって実現し、有償情報を安全に流通せしめることが可能となる。
　【００７２】
　また、本発明は、上記のコンピューター読み取り可能な記録媒体であって、前記アクセスキー発行依頼受信処理においては、前記アクセスキー発行依頼データから、ユーザーを識別するユーザー識別情報と有償情報を識別するコンテンツ識別情報とを抽出し、前記アクセスキー生成処理においては、当該ユーザー識別情報と当該コンテンツ識別情報とに基づくアクセスキーを生成するところのコンピューター読み取り可能な記録媒体である。
　【００７３】
　また、本発明は、上記のコンピューター読み取り可能な記録媒体であって、前記アクセスキー生成処理においては、その処理時点の日時に基づいてアクセスキーを生成し、該日時に関する情報を前記アクセスキー情報記憶部に記憶し、前記アクセスキー判別処理においては、前記有償情報要求データから抽出したアクセスキーに基づいて当該アクセスキーが生成された日時を得て、当該日時とアクセスキー判別時点の日時との比較結果に基づいて、前記有償情報要求データの正当性を判別するところのコンピューター読み取り可能な記録媒体である。
　【００７４】
　また、本発明は、上記のコンピューター読み取り可能な記録媒体であって、前記アクセスキー判別処理においては、アクセスキーに基づく前記有償情報要求データを受信する都度、送信元のユーザー端末の通信アドレスに関する比較結果に基づいて、前記有償情報要求データの正当性を判別するところのコンピューター読み取り可能な記録媒体である。
　【００７５】
　【発明の実施の形態】
　以下、図面を参照しこの発明の一実施形態について説明する。図１は、本発明の第１の実施形態を示すブロック図である。図２は、第１の実施形態の詳細構成を示すブロック図である。図３は、第１の実施形態における情報の流れを示すフローチャートである。図４は、第１の実施形態におけるユーザー端末の入力手段を示す参考図である。図５は、本発明の第２の実施形態による有償コンテンツへのアクセスのための手順を示すフローチャートである。図６は、第２の実施形態による有償コンテンツへのアクセスのための手順を示す処理シーケンス図である。図７は、第２の実施形態においてユーザー端末に表示される有償コンテンツトップページの例を示す図である。図８は、第２の実施形態による有償コンテンツの表示画面例を示す図である。図９は、第２の実施形態においてユーザー端末に表示されるプロバイダーのＷＷＷトップページの例を示す図である。図１０は、第２の実施形態においてユーザー端末に表示されるプロバイダーのコンテンツサービスガイドの画面例を示す図である。
　【００７６】
　図１１は、第２の実施形態においてユーザー端末に表示されるプロバイダーのエンターテイメントコンテンツ一覧の画面例を示す図である。図１２は、第２の実施形態においてユーザー端末に表示される有償コンテンツの入口ページの例を示す図である。図１３は、第２の実施形態においてユーザー端末に表示される有償サービス認証画面の例を示す図である。図１４は、第２の実施形態においてユーザー端末に表示される有償コンテンツの入会案内画面の例を示す図である。図１５は、第２の実施形態においてユーザー端末に表示される会員用有償サービス登録ページの例を示す図である。図１６は、第２の実施形態においてユーザー端末に表示されるプロバイダー非会員用のサービス登録ページの例を示す図である。図１７は、第２の実施形態においてユーザー端末に表示されるプロバイダー非会員用のサービス登録ページの例を示す図である。図１８は、第２の実施形態においてユーザー端末に表示される有償サービス停止処理のための画面の例を示す図である。図１９は、本発明の第３の実施形態において、有償情報提供者、有償情報流通者、プロバイダー、およびユーザーの相互関係を示す図である。図２０は、第３の実施形態において有償情報提供者、有償情報流通者、プロバイダー、およびユーザーの相互関係を示す図である。
　【００７７】
　図２１は、本発明の第４の実施形態の構成を示すブロック図である。図２２は、第４の実施形態による販売報告情報の作成および配布の手順を示すフローチャートである。図２３は、第４の実施形態による販売報告情報の作成のための中間データの構造およびデータ例を示す図である。図２４は、第４の実施形態による販売報告情報の第１の例を示す図である。図２５は、第４の実施形態による販売報告情報の第２の例を示す図である。図２６は、第４の実施形態による有償情報提供者別のフォーマットおよびサイクル定義情報の構造およびデータ例を示す図である。図２７は、第４の実施形態による請求照合情報を用いた決済管理の手順を示すフローチャートである。図２８は、第４の実施形態による請求照合情報の例を示す図である。図２９は、第４の実施形態によるコンテンツ属性情報の構造およびデータ例を示す図である。図３０は、第４の実施形態による支払明細書の例を示す図である。
　【００７８】
　図３１は、第４の実施形態によるアクセス情報を利用した有償情報の販売促進方法を実現するための構成を示すブロック図である。図３２は、第４の実施形態におけるバナー選択手段によって選択されたバナー広告が表示された画面例を示す図である。図３３は、第４の実施形態におけるコンテンツ生成手段によって生成されたランキング情報が表示された画面例を示す図である。
　【００７９】
　発明を実施するための最良の形態（第１の実施形態）本発明をネットワーク上での有償情報の流通方法に適用した場合の実施の形態について説明する。全体のシステム構成の一例を図１に従い説明すると、有償情報（１）の作成及び又は提供主である有償情報提供者（１００）と、該有償情報提供者（１００）から流通を依頼され提供された有償情報（１）を記録した有償情報流通者（２００）のサーバー（２０１）と、複数のプロバイダー（３００）のサーバー（３０１）と、該プロバイダー（３００）の会員ユーザーとしてユーザーＩＤ、パスワード等のプロバイダー会員情報（３０２）を持つユーザー（４００）の端末（４０１）とからなる。前記有償情報流通者のサーバー（２０１）とプロバイダーのサーバー（３０１）との間に他のプロバイダーのサーバーが介在しても構わない。
　【００８０】
　ここでネットワークとは有線、又は無線も対象とし、電話線、専用線、衛星通信等のネットワークを含む。また、有償情報とは写真等の静止画像、映像、映画等の動画像、及び又は小説等の文字、等の有償コンテンツや、パソコン、カメラ、等の有償商品、航空チケット、コンサートチケット、等の有償チケット、等の購入を画像及び又は文字等で表した物販に関する情報や、有償運送、等の有償サービスの申込みを画像及び又は文字等で表したサービス提供に関する情報等でユーザーと提供者との間で有償取引される全てのものに関わる情報のことを言う。ユーザーへの有償情報の提供とは、当該情報のダウンロードや当該情報をユーザーの端末へ送信し表示することで行われる。なお、有償商品、有償チケットの提供は郵便等の手段によって行われ、有償サービスはサービスの種類によってことなるが、サービスをユーザーに提供することで行われる。
　【００８１】
　また、「プロバイダー」には、消費者となり得る者等に対してサービスを提供するサービスプロバイダーが相当する。このサービスプロバイダーには、例えばネットワークへの接続サービスを提供するサービスプロバイダーが含まれ、典型的にはインターネットへの接続サービスを提供するＩＳＰ（インターネットサービスプロバイダー）が該当する。但し、「プロバイダー」はこのネットワーク接続サービスを提供するインターネットサービスプロバイダー等に限定されず、銀行、証券会社、クレジットカード会社、その他決済サービス提供者、貸金業者、その他金融関連サービス提供者、電子マネー関連事業者、前払い証票関連事業者、地上波や衛星波やケーブル等による放送事業者あるいは放送類似事業を営む者、電力事業者、流通業者、輸送業者など、会員・契約者・口座保持者など（これらを総称してユーザーと呼ぶ）に関する情報を管理し、当該ユーザーに直接的あるいは間接的に有償情報を提供する手段及び当該有償情報の代金決済手段とを有するものであれば良い。
　【００８２】
　本発明の形態の構成及び情報の流れを図２、図３により説明すると、有償情報提供者（１００）は有償情報（１）を有償情報流通者（２００）に提供する。当該有償情報流通者は、提供された有償情報をサーバー（２０１）に登録する。有償情報（１）は、有償情報提供者の端末からネットワークを通じて有償情報流通者のサーバー（２０１）に送信することもできるし、ＣＤ、ＦＤ、ＤＶＤ等の記録媒体に有償情報（１）を記録し、この記録媒体（１）を介して有償情報流通者のサーバー（２０１）に登録させることもできる。また、有償情報流通者（２００）が有償情報提供者（１００）を兼ねて、自身の有償情報（１）をサーバー（２０１）に登録することもできる。
　【００８３】
　また有償情報流通者のサーバー（２０１）はある特定の有償情報提供者からの複数の有償情報の提供を受けることもできるし、複数の有償情報提供者から１以上の有償情報の提供を受けることもできる。
　【００８４】
　本実施の形態はいくつかのステップで各処理を行うが、まずユーザーと有償情報流通者との間の有償情報の提供処理について説明する。ユーザー（４００）は端末（４０１）から有償情報要求情報をプロバイダー（３００）のサーバー（３０１）を介して有償情報流通者（２００）のサーバー（２０１）へ送信し、前記有償情報要求情報を受信した該サーバ（２０１）はユーザーの端末（４０１）へ、有償情報（１）を送信し、表示する。なお、本説明では有償情報（１）を有償コンテンツとして説明する。
　【００８５】
　ユーザー（４００）が有償情報の提供を要求する場合は、各有償情報（１）に対応した有償情報会員情報（２０２）を有償情報流通者（２００）のサーバー（２０１）から取得し、該有償情報会員情報（２０２）は当該ユーザー（４００）に関する情報等と関連付けて有償情報流通者（２００）のサーバー（２０１）に記録される。
　【００８６】
　より詳細に説明すると、ユーザーの端末（４０１）は、有償情報流通者（２００）のサーバー（２０１）もしくはプロバイダー（３００）のサーバー（３０１）から提供される有償情報告知表示を表示してユーザーに有償情報（１）の提供要求を促す。ユーザー（４００）が提供を要求する場合に、まず、有償情報告知表示に表示された有償情報認可情報の取得を要求する入力を受け付ける入力手段に入力（クリック）することで、図４に示す、プロバイダーのサーバー（３０１）から提供を受けたプロバイダー会員情報入力を受け付けるプロバイダー会員情報入力手段（４０２）に、ユーザーＩＤ、パスワードから成るプロバイダー会員情報（３０２）を入力する。該プロバイダー会員情報（３０２）はプロバイダーのサーバー（３０１）に送信され、該サーバー（３０１）において当該ユーザーがプロバイダーの会員かどうか等に関し認証処理される。認証された前記プロバイダー会員情報（３０２）は、専用線若しくはＶＰＮ（Ｖｉｒｔｕａｌ　Ｐｒｉｖａｔｅ　Ｎｅｔｗｏｒｋ，仮想専用線網）を介して有償情報流通者のサーバー（２０１）へ送信される。該サーバー（２０１）は、前記プロバイダー会員情報（３０２）と前記有償情報（１）とに対応した有償情報会員情報（２０２）を作成する。該有償情報会員情報（２０２）は、当該ユーザー（４００）に関する情報及びプロバイダー（３００）に関する情報とを関連付けて前記サーバー（２０１）に記録される。有償情報会員情報（２０２）は、プロバイダー識別子、ユーザー識別子（プロバイダー会員情報の一部で、例えばユーザーＩＤ等）、作成日等で構成され、前記プロバイダー会員情報との対応づけが可能である。
　【００８７】
　有償情報会員情報（２０２）を取得した後の、ユーザーへの有償情報（１）の提供処理を説明する。ユーザー（４００）の端末（４０１）は、有償情報流通者（２００）のサーバー（２０１）もしくはプロバイダー（３００）のサーバー（３０１）から提供される有償情報告知表示（４０２）を表示してユーザーに有償情報（１）の提供要求を促す。ユーザー（４００）は、有償情報の提供を要求する場合には該入力手段（４０４）に要求情報及びプロバイダー会員情報（３０２）を入力する。該プロバイダー会員情報（３０２）はプロバイダーのサーバー（３０１）に送信され、該サーバー（３０１）において当該ユーザー（４００）が会員かどうか等に関し認証処理される。該認証処理は同時に前記プロバイダー会員情報（３０２）が有償情報会員情報（２０２）を取得しているか否かを認証する。認証後、取得している場合には有償情報会員情報（２０２）を有償情報流通者のサーバー（２０１）へ送信する。該サーバー（２０１）は受信した有償情報会員情報（２０２）を該サーバー（２０１）に記録された前記有償情報会員情報（２０２）と対比して認可処理、すなわち有償情報の送信に関する許可が付与されたユーザーか否かの判別を行う。そして、有償情報会員情報を取得し許可されたユーザーであると判別できた場合は、有償情報（１）を前記ユーザーの端末（４０１）へ送信し、該端末（４０１）に表示する。
　【００８８】
　有償情報要求情報とはユーザーの端末から送信されるプロバイダー会員情報（３０２）と、プロバイダーのサーバー（３０１）から送信される有償情報会員情報（２０２）とに基づき構成される情報を指す。また、有償情報会員情報（２０２）は暗号化して送信することもできる。このとき、該有償情報会員情報（２０２）を受信した有償情報流通者のサーバー（２０１）でこれを解読し、認証等の処理を行う。
　【００８９】
　次に、有償情報の提供に伴う有償情報流通者からユーザーへの課金、請求処理について説明する。有償情報流通者のサーバー（３０１）は、ユーザーの端末（４０１）から当該プロバイダーのサーバー（３０１）を介して送信された有償情報要求情報を受信し、認証処理を行い、有償情報（１）を提供するとともに、認証した有償情報会員情報（２０２）に基づき、当該ユーザーに対して有償情報の提供に介在したプロバイダー（３００）に関する情報となる有償情報怪異情報と関連付けて当該有償情報の対価の加算を行う等の課金処理を行う。そして該課金処理されたデータに基づき、前記有償情報会員（２０２）に対応するプロバイダー（３００）を識別して選択し、該プロバイダー（３００）に対して、前記プロバイダー会員情報（３０２）を持つユーザー（４００）に対する有償情報の対価の請求処理といった代金決済処理を行う。プロバイダーの識別は、有償情報会員情報（２０２）がプロバイダー識別子を有していれば処理が容易となる。また、プロバイダー識別子は有償情報流通者のサーバーで自動的に作成することも可能である。
　【００９０】
　ここで、有償情報流通者（２００）からプロバイダー（３００）への請求処理は、有償情報流通者のサーバー（２０１）からプロバイダーのサーバー（３０１）へネットワークを介して行うことも、サーバー（２０１）から書面を作成し送付する、銀行、クレジット会社等の金融機関を経由する等の周知の処理を採用できる。
　【００９１】
　また、有償情報流通者のサーバー（２０１）から請求処理されたプロバイダー（３００）は、ユーザー（４００）に対し、該ユーザー（４００）とプロバイダー（３００）との間ですでに行われている接続料金等の代金決済処理を行うデータに、前記有償情報流通者のサーバー（２０１）から請求処理を受けた有償情報の料金のデータを加えて、前記ユーザー（４００）への代金決済処理を行う。従ってプロバイダーとしてはユーザーに対して有償情報の提供に伴う対価の回収に関する請求を別途行う必要はない。
　【００９２】
　また、ユーザー（４００）もプロバイダーからの料金請求に対して、支払い処理を行うだけでよいため、有償情報にアクセスすることによる料金支払いを行う等の特別な煩わしい処理は必要がない。
　【００９３】
　そして、有償情報流通者のサーバーから有償情報の提供に伴う対価に関する請求データを受け取ったプロバイダーは、プロバイダー会員情報を持つユーザー（４００）に対して請求処理を行う。該請求処理は、前記有償情報流通者（２００）とプロバイダー（３００）間の請求処理と同様に周知の処理を採用することができる。
　【００９４】
　次に、有償情報流通者（２００）と有償情報提供者（１００）との間の有償情報の提供に対する対価の支払いに関する代金決済処理を説明する。有償情報流通者のサーバー（２０１）は、ユーザーの端末（４０１）から有償情報要求情報を受け、認証処理を行い、有償情報（１）を提供した実績に応じて、該有償情報（１）の提供者（１００）への売上に対応した代金決済処理を行う。すなわち有償情報流通者（２００）は有償情報のユーザーへの提供実績に応じて売上処理されたデータに基づいて有償情報提供者（１００）への対価の支払い処理を行う。売上処理は、有償情報提供者と有償情報流通者との間で取り決められた料金に基づき処理する。その取り決めとしては、有償情報の提供数に応じたロイヤリティ、有償情報を有償情報流通者のサーバーに記録した時の固定料金、月額料金等の期限毎の固定料金等が考えられる。
　【００９５】
　有償情報流通者（２００）から有償情報提供者（１００）への支払い処理は、有償情報流通者のサーバー（２０１）から該有償情報提供者のサーバーにネットワークを介して行うことも、サーバー（２０１）から書面を作成し送付する、銀行、クレジット会社等の金融機関を経由する等の周知の処理を採用できる。
　【００９６】
　また、有償情報流通者のサーバー（２０１）は、ユーザーの端末（４０１）からプロバイダーのサーバー（２０１）を介して有償情報要求情報を受け、認証処理を行い、有償情報（１）を提供するといった前記有償情報の提供に伴う、ユーザー及び有償情報提供者への代金決済処理を行っているため、当該代金決済処理に用いられたデータに基づき、プロバイダー毎の有償情報の提供状況、ユーザー別の有償情報の提供状況、時間毎の有償情報の提供状況、等の流通情報を集計することができることになる。従って、これらの流通情報を有償情報提供者（１００）に対して、流通情報提供処理を行うこともできる。
　【００９７】
　ここで、流通情報提供処理は、有償情報流通者のサーバー（２０１）から有償情報提供者（１００）の端末に対してネットワークを介して行うこともできるし、有償情報流通者のサーバー（２０１）から報告書等の書面を作成し報告することもできる。ネットワークを介して行うことで、リアルタイムな流通情報提供処理を行うことができる。
　【００９８】
　有償情報流通者のサーバーで行われる各処理は、１台のサーバーで行うこともできるし、各処理に応じて複数のサーバーに振り分けることもできる。本発明の形態において、有償情報流通者のサーバーと接続するプロバイダーのサーバーは、複数のプロバイダーのサーバーでも、複数の中から任意に選択した１以上のプロバイダーのサーバーでもよい。
　【００９９】
（第２の実施形態）以下に述べる第２の実施形態の説明には、ユーザーから見た操作手順、アクセスキー（アクセス許可情報）を用いたアクセス制御、アクセスキーの流出防止、コンテンツの表示方法、特性に応じた複数のネットワークの使い分け、有償コンテンツの流出防止等に関する詳細な技術事項が含まれる。
　【０１００】
　図５は、ユーザーが有償コンテンツにアクセスするまでの操作手順を示すフローチャートである。この図に示す操作手順は、ユーザー端末にプロバイダー（ＩＳＰ）のＷＷＷのトップページから開始する（ステップ７０１）。このトップページ上からユーザーが「コンテンツ」を選択すると、ユーザー端末上には「コンテンツサービスガイド」の画面が表示され、この画面上の「ジャンル別コンテンツ一覧」の中から任意のジャンルが選択可能となる。この中から「エンターテインメントコンテンツ」を選択する（ステップ７０２）と、ユーザー端末にはエンターテインメントコンテンツ一覧が表示される（ステップ７０３）。この一覧から、ユーザーがある特定のコンテンツ（以下、コンテンツＡと呼ぶ）を選択する（ステップ７０４）と、コンテンツＡの入口ぺージが表示される（ステップ７０５）。この入口ページ自体は無料のコンテンツであり、この段階ではユーザーへの課金等はなされない。
　【０１０１】
　このユーザーがコンテンツＡ中の有償コンテンツダウンロードサービスといった有償サービスにサービス受信資格者として未登録であるならば（ステップ７０６）、コンテンツＡ入会案内のページ（ステップ７１１）から登録の操作を行う。このユーザーがこのプロバイダーと契約している会員であるならば（ステップ７１２）、ユーザーとプロバイダーとの間には既に料金の決済手段が確立されているので、ユーザーがコンテンツＡの有償サービス登録ページにおいて必要事項を入力し（ステップ７１３）、プロバイダーのサーバーには当該ユーザーを有償サービスの受信資格者として登録処理を行う（ステップ７１４）。この段階でプロバイダーのサーバー３０１によって管理されている会員情報データベース３５１（会員情報記憶部）に、当該会員は有償サービス登録済である旨が記録される。
　【０１０２】
　このようなユーザーの要求に基づく登録処理の後（直後であっても、時間をおいた後であっても可）は、ユーザーからアクセスキー（アクセスキーについての詳細は後述する）を要求された際に、登録された情報に基づいて、アクセスキーの発行を行い、アクセスキーを用いることにより、ユーザーは有償情報にアクセスできる。
　【０１０３】
　このユーザーがプロバイダーの会員でない場合（ステップ７１２）は、非会員用のユーザーＩＤ取得ページにおいて、例えばクレジットカード番号を入力するなどの方法によって決済手段を確立する（ステップ７１５）ことによって、プロバイダーのサーバーから非会員用のユーザーＩＤの発行を受けて（ステップ７１６）から、ステップ７１３および７１４の登録処理を行う。
　【０１０４】
　コンテンツＡの有償サービスを登録したユーザーは、コンテンツＡの入口ページ（ステップ７０５）から、有償サービス認証画面に移りここで認証に必要な情報を入力する（ステップ７０８）ことにより、コンテンツＡの有償コンテンツページにアクセスする（ステップ７０９）。
　【０１０５】
　図９は、上記ステップ７０１においてユーザー端末のブラウザー画面に表示されるプロバイダーのＷＷＷトップページの例を示す図である。本例において、このトップページのデータは「ｔ−ｎｅｔ．ｎｅ．ｊｐ」というドメインに存在する「ｗｗｗ」というサーバーによって提供されている。このトップページ上に表示されている「コンテンツ」の項目が次の「コンテンツサービスガイド」のページにリンクされている。
　【０１０６】
　図１０は、上記の「コンテンツサービスガイド」の画面例を示す図である。この中の「ジャンル別コンテンツ一覧」内の一項目として「エンターテイメント」が存在している。
　【０１０７】
　図１１は、上記ステップ７０３においてブラウザー画面に表示される「エンターテイメントコンテンツ一覧」の例を示す図である。本例のこの画面では、「占い」、「アイドルＣＬＵＢ」、「芸能ニュース」の３種のコンテンツの概略が説明されている。
　【０１０８】
　図１２は、上記ステップ７０４において「アイドルＣＬＵＢ」が選択された場合にステップ７０５において表示される「アイドルＣＬＵＢ」の入口ぺージの画面例を示す図である。既にこのコンテンツの有償サービスに登録済のユーザーは「ＭＥＭＢＥＲ」を選択して認証画面に進むことができ、未登録のユーザーは「入会案内」を選択することによって入会手続きを行うことができる。また、登録済みのユーザーが「退会案内」を選択して退会手続を行うこともできる。
　【０１０９】
　図１３は、上記ステップ７０８においてユーザー端末に表示される有償サービス認証画面の例を示す図である。登録済みのユーザーはこの画面においてユーザー名およびパスワードを入力することにより認証手続きを行うことができる。
　【０１１０】
　図１４は、上記ステップ７１１においてユーザー端末に表示される「アイドルＣＬＵＢ」の入会案内画面の例を示す図である。この図に示す画面において、プロバイダーのユーザーＩＤを持っているユーザーは「サービス登録へ」の項目を選択することにより有償情報サービスの購入および登録を行うことができ、その他のユーザーは「入会手続き開始」の項目を選択して入会手続きを行った後で有償情報サービスの購入および登録を行うことができる。
　【０１１１】
　図１５は、上記ステップ７１３においてユーザー端末に表示される会員用サービス登録ページの例を示す図である。プロバイダーのユーザーＩＤおよびパスワードを入力することにより有償情報サービスのユーザーとしての登録を行うことができる。また、本例における有償情報は月額固定料金の課金となっており、この画面における登録をトリガーとして代金決済のためのデータが生成される。
　【０１１２】
　図１６は、上記ステップ７１５においてユーザー端末に表示される非会員用サービス登録ページの第１ページ目の例を示す図である。また図１７は、同じく非会員用サービス登録ページの第２ページ目の例を示す図である。この図１７に示す画面では、ユーザーの氏名や住所やクレジットカード情報など、代金決済に必要な情報を入力することによってプロバイダーの接続会員以外のユーザーにも有償サービスを受けるためのプロバイダー会員としてのユーザーＩＤを付与できるようになっている。
　【０１１３】
　図１８は、上記ステップ７１０のサービス停止処理においてユーザー端末に表示される画面の例を示す図である。この図に示す画面においてユーザーＩＤおよびパスワードを入力することにより、有償情報サービスに登録済みのユーザーは退会手続きを行うことができる。
　【０１１４】
　次に、アクセスキーを用いたアクセス制御の詳細について説明する。図６は、有償サービス登録済のユーザーが有償コンテンツの配信を受けるまでの端末およびサーバーの処理手順を示す処理シーケンス図である。なお、この処理手順は図５におけるステップ７０８からステップ７０９における処理に相当する。
　【０１１５】
　図６において、ユーザーが有償サービスの認証画面においてユーザーＩＤおよびパスワードをプロバイダー会員情報として入力して送信操作を行うことにより、ユーザーの端末４０１からプロバイダーのサーバー３０１に有償サービス認証依頼が送られる（ステップＳ１）。プロバイダーのサーバーは、受信した情報をもとに会員情報データベース３５１にアクセスしてこのユーザーが登録済のユーザーであるか否かを判別する。当該判別により、登録済であることを確認してから（ステップＳ２）、有償情報流通者のサーバー２０１にアクセスキー発行依頼を送信する。このアクセスキー発行依頼は、プロバイダーによって付与されたユーザーＩＤ、有償情報流通者によって付与されておりプロバイダーを識別するためのプロバイダーＩＤ、および有償情報流通者によって付与されており要求コンテンツを識別するためのコンテンツＩＤが付加されて送信される（ステップＳ３）。このプロバイダーＩＤとユーザーＩＤの組み合わせによってユーザーの人格がユニークに特定される。
　【０１１６】
　ここで、コンテンツＩＤには、課金種別およびコンテンツカテゴリーを示す情報が含まれる。課金種別は、アクセスの都度料金が発生する件数課金や、一定期間（例えば、１週間、１ヶ月間など）回数に関係なく自由にアクセスを許す期間課金などの別を示す。またコンテンツカテゴリーは、コンテンツの分野分類を示すものであり、アクセスパターンを分析する際や、ギャンブル情報など特定の年齢層のみにアクセスを許可する際などのキー情報として利用される。
　【０１１７】
　アクセスキー発行依頼を受信した有償情報流通者のサーバー２０１は、受信した情報に基づき、アクセスキーを生成する。アクセスキーとは、有償コンテンツへのアクセスの正当性を判断するためのデータの並びであり、容易に偽造されることを防ぐために、アクセスキーの生成ロジックには暗号技術等を援用するようにする。本実施形態では、少なくとも、図７に示すように、プロバイダーＩＤ（５０１）、ユーザーＩＤ（５０２）、コンテンツＩＤ（５０３）、アクセスキー発行日時をもとに所定の演算を行い、その結果得られる文字列をアクセスキーとしている。なお、この演算過程は少なくとも部分的には可逆的であり、生成されたアクセスキーをもとに少なくともプロバイダーＩＤ、ユーザーＩＤ、コンテンツＩＤ、アクセスキー発行日時を得ることのできる逆演算が存在するように上記演算を選択する。
　【０１１８】
　次に、有償情報流通者のサーバー２０１は、アクセスキー発行情報をアクセス管理データベース２５１（アクセス管理情報記憶部）に登録する（ステップＳ４）。ここで登録される情報は、プロバイダーＩＤ、ユーザーＩＤ、コンテンツＩＤ、アクセスキー発行日時、課金種別、発行されるアクセスキーである。
　【０１１９】
　この登録が完了すると、有償情報流通業者のサーバー２０１は、プロバイダーのサーバー３０１に生成したアクセスキーを含むＵＲＬ情報を返答する（ステップＳ５）。ここで、ユーザーから要求されているコンテンツがアクセスの都度課金するタイプのものである場合は、この段階で、プロバイダーのサーバー３０１は、会員情報データベース３５１に課金情報を記録する（ステップＳ６）。また、ユーザーに一定期間自由にアクセスすることを許すタイプのコンテンツの場合であっても、アクセスのパターンを分析するための基礎データとして情報を記録するようにしても良い。
　【０１２０】
　また、何らかの原因によってアクセスキーが正しく発行されず、ステップＳ５のアクセスキー返答においてエラーのステータスが返された場合には、プロバイダーのサーバー３０１はステップＳ６の課金記録を行わない。
　【０１２１】
　アクセスキーが正常に返答された場合は、プロバイダーのサーバー３０１はそのアクセスキーをユーザーの端末４０１に渡し（ステップＳ７）、ユーザーの端末４０１はこのアクセスキーが含まれたＵＲＬ情報を用いて有償情報流通者のサーバーにアクセスする（ステップＳ８）。これを受信した有償情報流通者のサーバー２０１は、ＵＲＬ情報の中かからアクセスキーの文字列を取り出し、このアクセスキーの正当性をチェック（判別）する。そして、当該チェックの結果、正当なアクセスキーであることが確認された場合には、このＵＲＬ情報を用いて送信してきたユーザーの端末４０１のＩＰアドレス（通信アドレス）をこのアクセスキーと関連づけてアクセス管理データベース２５１に登録してから（ステップＳ９）、要求された有償コンテンツをユーザーの端末４０１に送信する（ステップＳ１０）。
　【０１２２】
　ステップＳ７において送信されるデータは、この有償コンテンツのトップページに相当するものである。図８は、このトップページのユーザーの端末上での表示例を示す図である。「アドレス」の欄に示されているＵＲＬ情報内に含まれる「４８８０ｄｇ３３３３３」という文字列が、アクセスキーに相当する。ユーザーは、このトップページからさらにハイパーリンクされたページにアクセスすることができるが、リンク先へアクセスときも、トップページにアクセスしたときと同一のアクセスキーが含まれたＵＲＬ情報を用いてアクセスすることになる。有償情報流通者のサーバー２０１はこのリンク先へのアクセスについてもＵＲＬ情報の中からアクセスキーの文字列を取り出して、このアクセスキーの正当性をチェックしてからコンテンツを送信するようにしている。トップページからのリンク先はいくつであっても良く、また間接的に複数段階にリンクされていても良いが、有償コンテンツの各ぺージへのアクセスは、ページが変わる都度アクセスキーの正当性をチェックする必要がある。
　【０１２３】
　なお、本実施の形態においては、図６に示す端末・サーバー間およびサーバー・サーバー間の通信は、ＨＴＴＰ（Ｈｙｐｅｒ　Ｔｅｘｔ　Ｔｒａｎｓｆｅｒ　Ｐｒｏｔｏｃｏｌ）によって行っている。また、ステップＳ７においては、発行されたアクセスキーは有償コンテンツのトップページを示すＵＲＬ情報の一部に埋め込まれており、さらにこのＵＲＬ情報はハイパーテキスト内の「＜ＭＥＴＡ＞」タグに埋め込まれる形式で送られて、ユーザーの端末４０１上で稼働するブラウザーの機能により、ユーザーが意識して前記ＵＲＬ情報を入力したりアクセスのためのトリガーを与えたりすることなく、このハイパーテキストの受信から一定時間（例えば、０．５秒）経過後に、自動的にこのＵＲＬ情報によるステップＳ８の要求を出すようになっている。
　【０１２４】
　また、本実施例において、有償情報流通者のサーバー２０１は、ステップＳ８の要求をユーザーの端末から受けたとき、一般的な暗号技術によるアクセスキーのチェックの他に、次のようなチェックも行っている。
　【０１２５】
　その第１は、日時のチェックである。各サーバーにおける処理時間、ユーザーの端末における処理時間、上述した「＜ＭＥＴＡ＞」タグにおいて指定される待ち時間、および伝送遅延時間の総和は、通常は数秒〜数十秒のオーダーであるので、これを前提として、前述のアクセスキー発行日時から所定時間以上経過して到着するアクセス要求に対しては、正当と判別せずエラーを返している。
　【０１２６】
　また、その第２は、ＩＰアドレス（通信アドレス）のチェックである。ある正当なアクセスキーによってコンテンツ要求を最初に受けたときに端末側のＩＰアドレスをアクセス管理データベース２５１に登録し、同一のアクセスキーによる２回目以降のコンテンツ要求を受けた際には、ＩＰアドレスが同一であるかどうかをチェックし、異なる場合にはエラーを返している。
　【０１２７】
　このように、日時およびＩＰアドレスを用いたチェックにより、アクセスキーの流出等を原因とする不正手段によるアクセスを防止するとともに有償情報の窃用を防止するなどのセキュリティの強化につながっている。
　【０１２８】
　なお、上述したＩＰアドレスチェックは、図６におけるステップＳ８のコンテンツ要求の時点のＩＰアドレスをアクセス管理データベース２５１に登録して以後のアクセス要求の際にチェックするようにしているが、その代わりに、ステップＳ３のアクセスキー発行依頼の際にユーザーの端末４０１のＩＰアドレスの情報を取得するようにして、ステップＳ４のアクセスキー発行情報登録時にそれをアクセス管理データベース２５１に登録し、ステップＳ８およびそれ以降のコンテンツ要求を受けた際にチェックするようにしても良い。
　【０１２９】
　次に、本実施の形態におけるコンテンツ表示方法について説明する。図８は、ユーザーの端末４０１の画面におけるコンテンツ表示の概要を示す図である。この図において、符号６０１はブラウザー画面、６１１，６１２，・・・はそれぞれブラウザー画面６０１内のフレームである。図示するような画面構成は、一般的なハイパーテキスト記述言語によって提供されるフレーム機能によって実現している。ここで、フレーム６１１には有償情報流通者のサーバー２０１によって供給される有償情報（コンテンツＡ）が表示され、その周辺のフレーム６１２にはこのユーザーの契約先のプロバイダーのサーバー３０１によって供給されるプロバイダー固有情報が表示されている。なお、図８に示すフレーム構成は一例であり、これに限定されず、他の形態の構成によってプロバイダー固有の情報と複数のプロバイダーに共通な情報とを表示するようにしても良い。
　【０１３０】
　このような表示方法とすることにより、有償情報流通者は、各プロバイダー固有の情報については何ら配慮する必要がないため、複数のプロバイダーを通じてコンテンツを提供する場合であっても、コンテンツの作成および維持のコストを抑制することができる。また、プロバイダー固有の表示情報の中に、プロバイダーのトップページへのリンクや、コンテンツ一覧のページへのリンクを含ませることもできるため、他の有償コンテンツの販売機会にもつながるというメリットがある。
　【０１３１】
　次に、上で説明した有償コンテンツの流通における複数のネットワークの使い分けについて説明する。図６に示したサーバー・端末間およびサーバー・サーバー間の通信のうち、ステップＳ１、Ｓ３、Ｓ５、Ｓ７における通信では伝送情報量が比較的小さいため通信容量をそれほど考慮する必要はないが、ユーザーの認証情報などを伝えるため高い秘匿性を必要とする。それに対して、ステップＳ８およびＳ１０における通信では画像、音声、映像などといったコンテンツの実データが送信されるため伝送情報量は多いが秘匿性はそれほど必要がない。そこで、本例では、有償情報流通者のサーバー２０１とプロバイダーのサーバー３０１との間のアクセスキーの発行等に関する通信は専用回線等を用いたクローズドなネットワーク（第１の通信ネットワーク）で行い、有償情報流通者のサーバー２０１とユーザーの端末４０１との間はオープンなネットワーク（第２の通信ネットワーク）を経由して行うようにしている。ここで、オープンなネットワークとは例えばインターネットである。
　【０１３２】
　なお、プロバイダーのサーバー３０１とユーザーの端末４０１との間の通信に関しては、プロバイダーおよびユーザーの都合に応じて種々の通信手段が用いられる。具体的には電話回線網、ＣＡＴＶ網、専用回線などの利用が多い。
　【０１３３】
　上記のように各々の特性に応じたネットワークの使い分けをすることにより、必要な情報秘匿性を確保し、コンテンツ送信のためには比較的低コストのネットワークを用いることがかのうとなるため、必要な通信回線のコストを抑制することができる。
　【０１３４】
（第３の実施形態）図１９および図２０は、第３の実施形態による有償情報提供者、有償情報流通者、プロバイダー、およびユーザーの相互関係を示す図である。図１９に示すように、本実施の形態によれば、有償情報流通者は、複数の多様な有償情報提供者から提供される有償情報を流通させる市場を創造し、複数のプロバイダーとの接続によって同市場を拡大し、低コストで同市場を維持・運営することができるため、有償情報流通者にとっては自己の所有する情報を安価な流通コストで販売する機会が得られる。また、ユーザーにとっては、プロバイダーとの間で既に確立されている決済手段を用いて、手軽にしかも安全に、多種多様な有償情報を購入することが可能になる。また、プロバイダーにとっては、有償情報流通に伴うコミッション収益を得ることが可能となるため、自己が創り上げた会員組織の資産価値を高めることが可能となる。
　【０１３５】
　また、図２０に示すように、有償情報提供者と有償情報流通者との間では流通させる有償情報のやりとりおよびその対価の決済が行われる。また、プロバイダーとユーザーとの間では有償情報アクセスに必要な手続きおよびその代金の決済が行われる。この代金決済は、有償情報流通者からプロバイダーへの課金、請求処理に基づいて行われる場合やプロバイダーの会員情報データベースに記録された課金情報に基づいて行われる場合がある。また、有償情報流通者とプロバイダーとの間では、ユーザーからの有償情報アクセス要求の処理およびプロバイダーが回収した代金の決済が行われる。また、有償情報流通者とユーザーとの間では、処理されたアクセス要求に基づいて実際に有償情報の配布が行われる。
　【０１３６】
（第４の実施形態）この第４の実施形態は、ネットワークを介して販売された有償情報に関する販売実績分析方法を提供するものである。データベース技術を用いて販売実績データを蓄積し、そのデータを様々な観点から分析することにより販売促進や商品企画などに結びつけるいわゆるデータベースマーケティングが行われている。このような販売実績分析においては、基礎となるデータの正確さや緻密さとともに、最新の実績情報を用いた分析によりタイムリーなアクションを起こすための速報性が求められる。
　【０１３７】
　本実施形態は、上記のような要求を満たすことを目的とするものであり、ネットワークを介した有償情報の流通という業態において、当該流通事業者が、プロバイダー等からなる下流の販売チャネルから正確な販売実績情報をリアルタイムで取得し、その情報を加工・分析し、下流の販売チャネルおよび上流の有償情報提供者にタイムリーに提供することによって、売上増に結びつけることができ、また有償情報提供料金の決済の管理にも用いることのできる有償情報販売実績分析方法を提供する。
　【０１３８】
　以下では、有償情報流通者のサーバーにおいて発生する情報を用いた販売実績分析システムについて説明する。なお、ここで有償情報流通者のサーバーの典型例は、前記第１〜第３の実施形態において述べたようなものである。
　【０１３９】
　図２１は、同実施形態による販売情報分析システムの構成を示すブロック図である。図２１において、符号２０１は有償情報流通者のサーバー、１００は有償情報提供者、３００はプロバイダー、４００はユーザーである。また、１２９１は有償情報流通者のサーバー２０１に設けられたアクセス管理データベースである。有償情報提供者１００によって提供される有償情報は、有償情報流通者のサーバー２０１に置かれ、ユーザー４００は、プロバイダー３００における認証処理を経て有償情報流通者のサーバー２０１にアクセスし有償情報を取得する。このとき、ユーザー毎の詳細なアクセスログがアクセス管理データベース１２９１に蓄積される。
　【０１４０】
　また、１０１０はアクセス管理データベース１２９１に蓄積されたログ情報を利用する販売実績分析システムである。この販売実績分析システム１０１０には、抽出手段（抽出部）１０１１、作表手段（作表部）１０１２および１０１３、送付手段（送付部）１０１４、印刷手段（印刷部）１０１５が設けられており、印刷手段１０１５は帳票１０５０を出力する。ここで、抽出手段１０１１は、アクセス管理データベース１２９１から予め設定された抽出条件１０２１（第１の条件）に従って情報を抽出し、アクセス情報１０３１を作成する。
　【０１４１】
　また、作表手段１０１２および１０１３によって有償情報実績報告情報が作成される。この有償情報実績報告情報には、販売報告情報１０３２および請求照合情報１０３３（支払情報）が含まれる。作表手段１０１２は、アクセス情報１０３１を基に予め設定された作表条件１０２２（第２の条件）に従って、有償情報提供者１００に提供するための販売報告情報１０３２を作成する。また、作表手段１０１３は、アクセス情報１０３１を基に予め設定された作表条件１０２３（第２の条件）に従って、有償情報提供者１００やプロバイダー３００との間の決済管理のために用いられる請求照合情報１０３３を作成する。また、印刷手段１０１５は作成された販売報告情報１０３２や請求書号情報１０３３を紙などの印刷媒体に印刷して、帳票１０５０を出力する。また、送付手段１０１４は作成された販売報告情報１０３２を、各々の有償情報提供者１００に送付する。送付手段１０１４は、ウェブシステムによる表示を行うなど通信ネットワークを介して有償情報提供者１００に電子メール等に添付して送付しても良く、また有償情報提供者１００自身が送付手段１０１４にアクセスして有償情報実績報告情報を閲覧しても良いし、磁気記録媒体に記録されたデータの形式や紙などに印刷された帳票の形式で販売報告情報１０３２を有償情報提供者１００に送付しても良い。
　【０１４２】
　抽出条件１０２１は、アクセス管理データベース１２９１に蓄積された明細レベルのログ情報から、少なくともアクセス日時とユーザーを識別する情報とプロバイダーを識別する情報と有償情報を識別情報とを抽出するように設定されている。これにより、作成されるアクセス情報１０３１は、明細レベルで上に挙げた情報項目を保持することになり、きめ細かな販売実績情報の分析が可能となる。
　【０１４３】
　作表条件１０２２は、各々の有償情報提供者１００に応じて個別に設定することができるようになっている。これにより、有償情報提供者１００に応じて設定される作表条件１０２２に従って作成される販売報告情報の形式等を、有償情報提供者１００に応じて固有のものとすることが可能となる。また、作表条件１０２２は、有償情報流通者のサーバー２０１によって設定することができるようになっている。これにより、有償情報流通者のサーバー側に設けられ、必要に応じて他の機能と連携する機能あるいは他の機能と統合された機能によって作表条件１０２２を設定し、設定された条件に応じた販売報告情報を作成することが可能となる。有償情報流通者のサーバー２０１側の機能と統合した形で作表条件１０２２の設定のためのインタフェースを提供することが可能となる。さらに、上記の条件設定機能の利用を有償情報提供者に開放することにより、有償情報流通者が手間をかけることなく、有償情報提供者の個別ニーズに応じた条件設定が可能となる。
　【０１４４】
　また、販売報告情報１０３２は、各々の個別のコンテンツ（有償情報）毎に、アクセス情報をプロバイダー別に集計して作成されるようになっている。これにより、コンテンツ単位でのきめ細かなアクセス情報を分析することができるようになるとともに、各プロバイダーの販売チャネルとしての特性などを分析することも可能となる。このような構成により、販売報告情報を用いて、各々の有償情報毎に、プロバイダー別の販売実績の分析を行うことが可能となる。
　【０１４５】
　また、請求照合情報１０３３は、各々の個別のプロバイダー毎に、アクセス情報をコンテンツ別に集計して作成されるようになっている。これにより、請求照合情報１０３３を各プロバイダーから有償情報流通者に届けられる売上明細書との照合検証に用いることができるようになるとともに、当該プロバイダーにおけるコンテンツの売れ筋などを分析することも可能となる。
　【０１４６】
　次に、販売報告情報の配布手順について説明する。図２２は、販売報告情報の配布手順を示すフローチャートである。まず、抽出手段１０１１がアクセス管理データベース１２９１から抽出条件１０２１に基づいてアクセス情報を抽出する（図２２のステップＳ１１）。このアクセス情報には、少なくとも日時情報とユーザー識別情報とプロバイダー識別情報とコンテンツ識別情報（有償情報識別情報）とが含まれる。これにより、アクセス情報を基に、日時、ユーザー、プロバイダー、有償情報をキーとした分析を行うことが可能となる。なお、ユーザー識別情報はプロバイダーによってユーザーに割り振られる識別情報である。
　【０１４７】
　次に、作表手段１０１２が、作表条件１０２２を基にアクセス情報１０３１の集計を行い、販売報告情報１０３２を作成する（図２２のステップＳ１２）。また、送付手段１０１４が、作成された販売報告情報を有償情報提供者に送信する（同、ステップＳ１３）。
　【０１４８】
　図２３は、販売報告情報１０３２の作成のための中間データの例を示す図である。図２３の例では、「２Ｕ００３」というコードで表されるコンテンツ分類に属する「２Ｕ００３０００１」〜「２Ｕ００３０００５」の５個のコンテンツが集計対象となっている。そして、アクセス情報１０３１内で、所定の期間における件数がコンテンツ別かつプロバイダー別にクロス集計されている。
　【０１４９】
　図２４は、作表手段１０１２によって作成され、ウェブ画面に表示する形で作成された販売報告情報１０３２の例である。図２４の例では、ある特定のコンテンツについて、ＩＳＰ（インターネットサービスプロバイダー）別に集計されたアクセス情報（新規登録件数）が、他の付加情報（月間累計件数、前月継続件数、当日有効件数、前月比増加率）とともに表示されている。なお、ＩＳＰとは、ユーザーに対してインターネットアクセスを提供する事業者であり、本実施形態で言う「プロバイダー」の一例である。
　【０１５０】
　また、図２５は、作表手段１０１２によって作成される販売報告情報１０３２の他の形式の例である。図２５に示す販売報告情報は、１ヶ月間のうちのそれぞれの旬間のアクセス件数のテーブルと、アクセス件数推移に関する記述と、ランキング情報とからなっている。
　【０１５１】
　上述したように、販売報告情報は、異なる複数のフォーマットで作成することが可能であり、また例えば、日報、週報、月報というように異なるサイクルで作成することができるようになっている。これら各々のフォーマットに応じた作表条件１０２２が予め設定されている。また、各々の有償情報提供者に応じて、異なるフォーマットおよび異なるサイクルで販売報告情報を作成することもできる。図２６は、有償情報提供者毎のフォーマット定義データの例を示す表図である。図２６に示すフォーマット定義データ例は、有償情報提供者別のフォーマットＩＤと販売報告情報を日報、週報、および月報作成するか否かを示すデータを保持している。
　【０１５２】
　次に、有償情報流通に伴う決済管理のために請求照合情報を利用する手順について説明する。図２７は、請求照合情報を用いた決済管理の手順を示すフローチャートである。まず、抽出手段１０１１がアクセス管理データベース１２９１から抽出条件１０２１に基づいてアクセス情報を抽出する（図２７のステップＳ２１）。次に、作表手段１０１３が、アクセス情報１０３１および作表条件１０２３に基づいて集計処理を行い、請求照合情報１０３３を作成する（同、ステップＳ２２）。
　【０１５３】
　図２８は、ウェブ画面に表示する形で作成された請求照合情報１０３３の例である。図２８の例では、ある特定のＩＳＰについて、コンテンツ別に集計されたアクセス情報（月刊新規登録件数）が、他の付加情報（定価、ＩＳＰ売上、情報提供流通者売上、前月比増加率）とともに表示されている。次に、有償情報流通者においては、ＩＳＰから送られてくる売上明細書を解析し、その中からコンテンツ毎のアクセス数を抽出する（図２７のステップＳ２３）。そして、ＩＳＰからの売上明細書と請求照合情報との間でアクセス数を比較確認する（同、ステップＳ２４）。そして、販売実績情報分析システム内に保持されているコンテンツ属性情報から支払単価情報を読み出し（同、ステップＳ２７）、支払単価情報とアクセス件数から支払金額を算出し（同、ステップＳ２８）、支払金額およびその他の必要事項が記入された支払明細書を作成して（同、ステップＳ２９）、この支払明細書を有償情報提供者に送付する（同、ステップＳ３０）。なお、有償情報実績報告情報に常に請求照合情報が含まれる必要はなく、含まれるときは有償情報提供者または有償情報流通者により設定することができる。
　【０１５４】
　なお、図２９は、上記ステップＳ２７で用いられたコンテンツ属性情報の構造とデータ例を示す表図である。図２９に示すように、このデータはコンテンツ毎のコンテンツ分類名称、コンテンツ名称、支払方法、および金額（単価）などの情報を保持する。
　【０１５５】
　また、図３０は、上記ステップＳ２９で作成された支払明細書のデータ例を示す図である。図３０に示す例では、コンテンツ毎にこの支払明細書が作成され、各コンテンツの単価、支払方法、当月アクセス件数、契約ユーザー数、および前記単価に前記契約ユーザー数を乗じて算出された支払金額が、この支払明細書に含まれている。
　【０１５６】
　次に、アクセス情報を用いた有償情報の販売促進方法について説明する。図３１は、有償情報の流通者のサーバー２０１および販売実績分析システム１０１０における有償情報の販売促進方法を実現するための構成を示すブロック図である。販売実績分析システム１０１０には分析手段（分析部）１０１８が設けられ、有償情報流通者のサーバー２０１にはバナー選択手段１２９２およびコンテンツ生成手段１２９３が設けられている。分析手段１０１８は、抽出条件１０２１に従って抽出されたアクセス情報１０３１に基づいた分析処理を行い、この分析結果に基づいて、バナー選択手段（バナー選択部）１２９２またはコンテンツ生成手段（コンテンツ生成部）１２９３は、下に述べるように有償情報へのリンク情報の表示を変更する。
　【０１５７】
　ここで、分析手段１０１８、バナー選択手段１２９２、およびコンテンツ生成手段１２９３の具体的な作用例について説明する。分析手段１０１８は、アクセス情報３１を基に、プロバイダー別、コンテンツ別、日時別の販売傾向を分析する。日時別の分析とは、例えば、「朝」、「昼」、「夕方」、「夜間」、「深夜〜未明」といった１日の中の時間帯別の分析や、よりきめ細かい６０分単位あるいは３０分単位といった時間帯別の分析や、「昼間」、「夜間」、「深夜」などといった通信料金のベースとなる時間帯別の分析や、１週間の中の曜日別の分析や、１ヶ月の中の「月初」、「月中」、「月末」といった区切りでの分析や、１年の中の季節別あるいは月別の分析や、あるいは、「正月期間」、「バレンタインデー」、「ゴールデンウィーク」、「クリスマス期間」などといった特殊な時期あるいはその前後期間での分析などである。これらの各々の区切りでの日時毎にユーザーの購入傾向やインターネットにアクセスするユーザー層が異なるために販売量の増減の波があるため、これを統計的に処理することにより、広告等、有効な販売促進策の実施に結びつけることができる。また、プロバイダー毎にユーザー層が異なる傾向があるため、その行動パターンや趣味・嗜好が異なり、これを分析することにより同じく有効な販売促進策の実施に結びつけることができる。
　【０１５８】
　バナー選択手段１２９２は、分析手段１０１８の分析結果に基づき、あるプロバイダーのユーザーに対して現在の時間帯に販売できる可能性が高いと思われるバナー広告（リンク広告）を選択し、当該プロバイダーのユーザー向けに表示する。
　【０１５９】
　図３２は、プロバイダーのホームページの画面表示例を示す図である。この画面においてバナー広告１０９１の領域は、有償情報流通者が流通させるコンテンツの広告のために確保されている。この広告領域に、前述した分析結果に基づきバナー選択手段１２９２によって選択されたバナーが表示されることにより、コンテンツ販売売上を極大化されるという効果が得られる。なお、ここでは、プロバイダーのホームページにおけるバナー広告を例にとって説明したが、プロバイダーのホームページに限定されず、上述した方法をネットワーク等の上での他の広告に適用しても良い。例えば、ポータルサイトのホームページや有償情報流通者のホームページなどにおいても、バナー選択手段１２９２によって選択されたバナー広告を表示しても良い。
　【０１６０】
　また、コンテンツ生成手段１２９３は、分析手段１０１８の分析結果に基づいたコンテンツを生成する。図３３は、コンテンツ生成手段１２９３によって生成されるコンテンツの表示例を示す図である。図３３に示す例は、販売される有償コンテンツのアクセス数のランキング情報であり、アクセス数の多い順にその有償コンテンツへのリンク情報１０９２（リンク広告）と関連する付加情報とが表示されている。コンテンツ生成手段１２９３は、リアルタイムであるいは一定時間間隔毎にこのランキングを更新する。このように、コンテンツ生成手段１２９３がランキング情報を生成してユーザーに表示することにより、人気のある売れ筋のコンテンツへのユーザーの購入意欲や興味をいだかせることにより、販売機会が益々高まり、全体として売上が増大するという効果が得られる。
　【０１６１】
　また、単にランキング情報を生成するだけでなく、アクセス数やアクセス時間の分析結果に基づき、有償情報の内容そのものを変更するようにしても良い。例えば、アクセス数が少ない有償情報あるいはアクセス数が減少傾向にあるとみられる有償情報を、他の有償情報によって置き換えることにより、販売機会の増加を図ることが可能となる。
　【０１６２】
　また、単に過去の販売実績のみに基づいてバナーを選択したりランキング等のコンテンツを生成したりするだけでなく、過去の販売実績から得られる分析結果と、新規有償コンテンツの販売時期やあるいは販売促進キャンペーンの実施時期と関連付けてリンク情報の表示を変更するようにしても良い。これにより、アクセス情報を用いた販売実績の分析を行い、その分析結果に応じて、例えばプロバイダーのホームページやポータルサイトのホームページなどにおけるバナー広告の内容を変更したり、有償情報のアクセスランキング情報を変更したりすることができる。これにより、より多くのユーザーが時間帯やユーザー特性などに応じた「売れ筋」の有償情報に誘導されるため、有償情報の販売機会が増加する。
　【０１６３】
　上の説明における「有償情報流通者のサーバー」、「プロバイダーのサーバー」、「ユーザーの端末」、「販売実績情報分析システム」は、コンピューターシステムにより実現されている。そして、上述した各処理の全部または一部は、プログラムの形式でコンピューター読み取り可能な記録媒体に記憶されており、このプログラムをコンピューターが読み出して実行することによって、上記処理が行われる。ここでコンピューターシステムの記録媒体とは、フロッピー（登録商標）ディスク、光磁気ディスク、ＣＤ−ＲＯＭ、磁気ハードディスク、磁気テープ、半導体メモリ等をいう。
　【０１６４】
　また、上記プログラムは、このプログラムを記憶装置等に格納したコンピューターシステムから電気通信回線等の伝送媒体を介して他のコンピューターシステムに伝送されるものであっても良い。ここで電気通信回線の伝送媒体とは、電気あるいは電磁波等による信号を伝える物理的性質を持つ、金属線、光ファイバー、電磁場等のことをいう。
　【０１６５】
　また、上の説明における会員情報記憶部（会員情報データベース）、アクセス管理情報記憶部（アクセス管理データベース）、有償情報記憶部などは、フロッピーディスク、光磁気ディスク、ＣＤ−ＲＯＭ、磁気ハードディスク、磁気テープ、半導体メモリ等の媒体を用いて実現される。
　【０１６６】
　また、上の説明において、「有償情報流通者のサーバー」で行われる各処理や「プログラムのサーバー」で行われる各処理や「ユーザーの端末」で行われる各処理や「販売実績分析システム」で行われる各処理については、それぞれ、その処理すべてを１台のコンピューターで行っても良いし、それらの処理を複数のコンピューターまたは情報処理装置に分散して行っても良い。また逆に、「有償情報流通者のサーバー」の処理と「プロバイダーのサーバー」の処理と「ユーザーの端末」の処理と「販売実績分析システム」の処理の一部または全部を１台のコンピューターに統合して行うようにしても良い。ここで「情報処理装置」とは、コンピューターに限らず通信装置や記憶装置や表示装置なども含む。
　【０１６７】
　【発明の効果】
　以上のように、ネットワーク上での有償情報の流通方法において、有償情報提供者の有償情報を記録した有償情報流通者のサーバーと接続した複数のプロバイダーのサーバー、該プロバイダのサーバーと接続した、プロバイダーの会員情報を有するユーザーの端末との間で有償情報の提供処理を行うことができるため、有償情報提供者は有償情報流通者のサーバーにのみ有償情報を記録するだけで、該有償情報流通者のサーバーから複数の又は選択されたプロバイダーを介して該プロバイダーの会員情報を有する多数のユーザーに対して有償情報の提供を行うことができる。
　【０１６８】
　また、有償情報提供者は有償情報流通者のサーバーを介して、特定のプロバイダーに対して有償情報を提供する場合に、あるプロバイダーから他のプロバイダーへ有償情報の提供を変える場合や、特定プロバイダーのユーザーに対して先行して有償情報の提供を行うといった提供方法を容易に実施することができる。
　【０１６９】
　さらに、有償情報流通者のサーバーは、有償情報の提供に伴う、各ユーザーに対する課金処理を一括して行い、かつ該課金処理されたデータに基づき、該ユーザーの持つプロバイダー会員情報に対応したプロバイダーを選択し、該プロバイダーに対して請求処理をするため、有償情報提供者、及び有償情報流通者は、一元的に各プロバイダーを介して各ユーザーへの課金請求処理を行うことができる。
　【０１７０】
　また、有償情報流通者のサーバーは、有償情報要求情報を認証処理することで、有償情報流通者のサーバーが許可しないプロバイダーの排除、プロバイダーの会員情報は取得していてもプロバイダーの課金請求処理には対応していないユーザーの排除を容易に行うことができる。
　【０１７１】
　また、ユーザー端末から送信する有償情報要求情報を、プロバイダーのサーバーへ送信するプロバイダー会員情報と、プロバイダーのサーバーから有償情報流通者のサーバーに送信する有償情報会員情報とを分け別のものとしたため、機密情報であるプロバイダー会員情報をユーザー端末、プロバイダーサーバー、有償情報流通者サーバーのネットワーク上で使用しないため、プロバイダー会員情報の安全性を確保することができる。また、ユーザーは有償情報提供要求をする際に、プロバイダー会員情報を入力するだけで、プロバイダーのサーバーが端末に入力するだけで、有償情報会員情報は、プロバイダーのサーバーが認証処理後自動的に有償情報流通者のサーバーに送信するため、ユーザーは、有償情報の提供を受けるための特別な操作をすることがなく煩わしくない。
　【０１７２】
　また、有償情報提供者は有償情報流通者のサーバーに有償情報を記録するだけで、有償情報の提供に伴う有償情報の売上処理及び該売上処理されたデータに基づいた支払い処理を受けることができる。
　【０１７３】
　また、プロバイダー等を通して、有償情報をそのプロバイダー等が管理する多数のユーザーに流通させることができるため、プロバイダーを販売チャネルとして活用して、より幅広いマーケットにおいて有償情報を販売することが可能となる。
　【０１７４】
　また、既にプロバイダーにおいて構築されている代金決済手段を利用することができるため、決済のための新たな仕組みを構築する必要がない。よって、有償情報流通者や有償情報提供者に代金決済のための過度の負担がかからない。しかも、秘匿性、安全性の確立された既存の代金決済を利用するため、情報の安全性に関して完全とは言えないインターネット等の上でクレジットカード番号などといった決済のための情報を流すことなく、有償情報を販売することが可能となる。
　【０１７５】
　また、ユーザーＩＤやパスワードなど、ユーザーの認証に関わる情報を専用回線等クローズドなネットワークの上でやりとりするため、情報の安全性に関して完全とは言えないインターネット等の上でこれらの情報をやりとりする必要がない。
　【０１７６】
　また、有償情報流通者のサーバーによってアクセスキーを発行し、有効なアクセスキーを用いたアクセスに対してのみ有償情報を提供するため、不正アクセス等による有償情報の流出やそれに伴う販売機会の損失を防止することができる。また、これによって有償情報の経済的価値を適切に維持することが可能となる。
　【０１７７】
　また、アクセスキーの内部に日時情報を持たせて、このアクセスキーを用いた有償情報の要求があったときに、日時によるチェックを行うため、アクセスキー自体の流出に伴う不正アクセスを防止することができる。
　【０１７８】
　また、アクセスキーとそのアクセスキーを用いた有償情報の要求を発したユーザーの端末の通信アドレスとの関連をチェックするため、アクセスキー自体の流出に伴う不正アクセスを防止することができる。
　【０１７９】
　また、認証情報の伝送のために秘匿性が高い専用回線を利用し、コンテンツ自体の伝送のためにインターネット等比較的低コストのネットワークを利用するため、有償情報流通システム全体として、ネットワークに関する伝送速度、セキュリティの強度、およびコストのバランスが良い。
　【０１８０】
　また、第４の実施形態のような構成により、第１のステップにおいては、予め設定された第１の条件に従ってアクセス情報を抽出し、第２のステップにおいては、第１のステップで抽出されたアクセス情報を基に、予め設定された第２の条件に従って有償情報実績報告情報を作成し、第３のステップにおいては第２のステップで作成された有償情報実績報告情報を出力する。上記アクセス情報は、有償情報流通者がリアルタイムで取得した販売実績情報に基づいており、この販売実績情報を上記手順により加工・分析し、有償情報提供者にタイムリーに提供することができるため、この情報に基づいた商品企画や販売促進策を実施することが可能となり、売上増に結びつけることができる。
　【０１８１】
　また、有償情報実績報告情報は有償情報提供者への支払情報を含むため、出力される有償情報実績報告情報を用いた決済管理が可能となる。
　【０１８２】
　また、第２の条件は前記有償情報提供者に応じて設定されるため、この第２の条件に従って作成される販売報告情報の形式等を有償情報提供者に応じて固有のものとすることが可能となり、個々の有償情報提供者のニーズにきめ細かに応えることが可能となる。
　【０１８３】
　また、第２の条件は前記有償情報流通者より設定されるため、有償情報流通者のサーバー側に設けられ必要に応じて他の機能と連携する機能あるいは他の機能と統合された機能によって第２の条件を設定し、設定された条件に応じた販売報告情報を作成することが可能となる。よって、システム全体としての利便性が向上するという効果がある。
　【０１８４】
　また、第１の条件に従って抽出されたアクセス情報は、少なくともアクセス日時とユーザー識別情報とプロバイダー識別情報と有償情報識別情報とを含むため、アクセス情報を基に、日時、ユーザー、プロバイダー、有償情報をキーとした分析を行うことが可能となり、日時別、ユーザー個別、ユーザー層別、プロバイダー別の各種マーケティングに利用することができる。
　【０１８５】
　また、有償情報実績報告情報は有償情報毎に作成されプロバイダー毎に集計されたアクセス情報を含むため、このような有償情報実績報告情報を用いて、各々の有償情報毎に、プロバイダー別の販売実績の分析を行うことが可能となる。これにより、プロバイダー別の傾向を把握したり、プロバイダー別の各種マーケティングに利用したりすることができる。
　【０１８６】
　また、支払情報はプロバイダー毎に作成され有償情報別に集計されたアクセス情報を含むため、このような支払情報を用いて、各々のプロバイダー毎に有償情報別の販売実績の分析を行うことが可能となるとともに、各々のプロバイダーから有償情報流通者に対して送られる売上明細書の確認を行うことが可能となる。
　【０１８７】
　また、アクセス情報に基づいて有償情報の表示を変更するため、ユーザーのアクセス特性や有償情報のアクセス状況などに応じて、有償情報の販売機会増を図ることが可能となる。
　【０１８８】
　また、アクセス情報から抽出されたアクセス数、アクセス時間により有償情報へのリンク広告の表示を変更するため、ユーザーの時間帯別のアクセス特性などに応じて、より多くのユーザーを「売れ筋」の誘導することが可能となり有償情報の販売機会増を図ることが可能となる。
　【０１８９】
　また、アクセス情報から抽出されたアクセス数、アクセス時間により有償情報の内容変更を行うため、ユーザーの時間帯別のアクセス特性やアクセス数推移などに応じて有償情報の内容を変更し、有償情報の販売機会増を図ることが可能となる。
【図面の簡単な説明】
　【図１】本発明の第１の実施形態を示すブロック図である。
　【図２】第１の実施形態の詳細構成を示すブロック図である。
　【図３】第１の実施形態における情報の流れを示すフローチャートである。
　【図４】第１の実施形態におけるユーザー端末の入力手段を示す参考図である。
　【図５】本発明の第２の実施形態による有償コンテンツへのアクセスのための手順を示すフローチャートである。
　【図６】第２の実施形態による有償コンテンツへのアクセスのための手順を示す処理シーケンスである。
　【図７】第２の実施形態においてユーザー端末に表示される有償コンテンツトップページの例を示す図である。
　【図８】第２の実施形態による有償コンテンツの表示画面例を示す図である。
　【図９】第２の実施形態においてユーザー端末に表示されるプロバイダーのＷＷＷトップページの例を示す図である。
　【図１０】第２の実施形態においてユーザー端末に表示されるプロバイダーのコンテンツサービスガイドの画面例を示す図である。
　【図１１】第２の実施形態においてユーザー端末に表示されるプロバイダーのエンターテイメントコンテンツ一覧の画面例を示す図である。
　【図１２】第２の実施形態においてユーザー端末に表示される有償コンテンツの入口ぺージの例を示す図である。
　【図１３】第２の実施形態においてユーザー端末に表示される有償サービス認証画面の例を示す図である。
　【図１４】第２の実施形態においてユーザー端末に表示される有償コンテンツの入会案内画面の例を示す図である。
　【図１５】第２の実施形態においてユーザー端末に表示される会員用有償サービス登録ページの例を示す図である。
　【図１６】第２の実施形態においてユーザー端末に表示されるプロバイダー非会員用のサービス登録ページの例を示す図である。
　【図１７】第２の実施形態においてユーザー端末に表示されるプロバイダー非会員用のサービス登録ページの例を示す図である。
　【図１８】第２の実施形態においてユーザー端末に表示される有償サービス停止処理のための画面の例を示す図である。
　【図１９】本発明の第３の実施形態において、有償情報提供者、有償情報流通者、プロバイダー、およびユーザーの相互関係を示す図である。
　【図２０】第３の実施形態において有償情報提供者、有償情報流通者、プロバイダー、およびユーザーの相互関係を示す図である。
　【図２１】本発明の第４の実施形態の構成を示すブロック図である。
　【図２２】第４の実施形態による販売報告情報の作成および配布の手順を示すフローチャートである。
　【図２３】第４の実施形態による販売報告情報の作成のための中間データの構造およびデータ例を示す図である。
　【図２４】第４の実施形態による販売報告情報の第１の例を示す図である。
　【図２５】第４の実施形態による販売報告情報の第２の例を示す図である。
　【図２６】第４の実施形態による有償情報提供者別のフォーマットおよびサイクル定義情報の構造およびデータ例を示す図である。
　【図２７】第４の実施形態による請求照合情報を用いた決済管理の手順を示すフローチャートである。
　【図２８】第４の実施形態による請求照合情報の例を示す図である。
　【図２９】第４の実施形態によるコンテンツ属性情報の構造およびデータ例を示す図である。
　【図３０】第４の実施形態による支払明細書の例を示す図である。
　【図３１】第４の実施形態によるアクセス情報を利用した有償情報の販売促進方法を実現するための構成を示すブロック図である。
　【図３２】第４の実施形態におけるバナー選択手段によって選択されたバナー広告が表示された画面例を示す図である。
　【図３３】第４の実施形態におけるコンテンツ生成手段によって生成されたランキング情報が表示された画面例を示す図である。